(57)【要約】      （修正有）【課題】電力クラスに基づいてキャリアをアクセスポイントに割り当てるのを容易にする。【解決手段】より低い電力のセルは異なるキャリアの上で通信するより高い電力のセルにより干渉されないであろうから、デバイスは、電力クラスにかかわりなく、通信のために最適なＳＮＲ又は経路損失を持つセルを選択する。アクセスポイントが、他のキャリアの上でのアップリンク信号の受信の間に、キャリア割り当て情報に従って、ダウンリンク信号を送信する。一旦、最適セルが判定されるならば、ダウンリンク制御データは、干渉のない受信を確実にするために、該割り当てられたキャリアの上で受信されるが、アップリンク伝送は、１又は複数の再利用スキームを使用して、増加したスループットを容易にするために、複数のキャリアの上で生じる。【選択図】図７
2014143703.tif 000002
【特許請求の範囲】
【請求項１】
ある電力クラスのアクセスポイントに割り当てられる検出可能なアンカー・キャリアを判定することと、
前記検出可能なアンカー・キャリアの上で前記電力クラスのアクセスポイントから伝送を受信することを含む方法。
【請求項２】
異なるキャリアの上で前記アクセスポイントに送信することを更に含み、
前記検出可能なアンカー・キャリアの上で前記アクセスポイントから受信される前記伝送は、制御データ伝送である請求項１の方法。
【請求項３】
前記アクセスポイントから前記伝送を前記受信することは、異なる電力クラスを有する異なるアクセスポイントとカバレージエリアがオーバーラップする前記アクセスポイントから前記伝送を受信することを含み、
前記異なるアクセスポイントは、前記異なる電力クラスに少なくとも部分的に基づいて１又は複数の異なるキャリアの上で通信する請求項１の方法。
【請求項４】
前記伝送を受信することは、前記アクセスポイントの前記電力クラスに少なくとも部分的に基づいて低い電力レベルで前記アクセスポイントから前記伝送を受信することを含む請求項３の方法。
【請求項５】
前記伝送を前記受信することは、ピコセル又はフェムトセル・アクセスポイントから前記伝送を受信することを含み、
前記異なるアクセスポイントは、マクロセル・アクセスポイントである請求項３の方法。
【請求項６】
１又は複数の異なるキャリアのうちの少なくとも一つは、前記異なるアクセスポイントのためのアンカー・キャリアである請求項３の方法。
【請求項７】
前記アクセスポイント及び前記異なるアクセスポイントに関連する経路損失、セル負荷又はバックホール負荷に少なくとも部分的に基づいて、前記異なるアクセスポイントの上での通信のための前記アクセスポイントを選択することを更に含む請求項３の方法。
【請求項８】
前記電力クラスのアクセスポイントに追加的に割り当てられる異なるキャリアの上で前記アクセスポイントから異なる伝送を受信することを更に含む請求項１の方法。
【請求項９】
１又は複数の異なるキャリアに関係する干渉情報を前記アクセスポイントに送信することを更に含み、
前記検出されたアンカー・キャリアは、前記干渉情報に基づく前記アクセスポイントからのキャリア割り当てを受信することに基づいて判定される請求項１の方法。
【請求項１０】
複数の検出可能なアンカー・キャリアと複数のアクセスポイント電力クラスとの間の関連付けを示すキャリア割り当て情報を取得し、
ある電力クラスのアクセスポイントからあるアンカー・キャリア（該アンカー・キャリアは、前記キャリア割り当て情報に従って前記電力クラスに関連付けられる）の上で信号を受信するように構成された少なくとも一つのプロセッサと、
前記少なくとも一つのプロセッサに接続されたメモリとを含む無線通信装置。
【請求項１１】
前記少なくとも一つのプロセッサは、異なるキャリアの上でアクセスポイントにアップリンク信号を送信するように更に構成され、
前記アンカー・キャリアの上で受信される信号は、制御データ信号である請求項１０の無線通信装置。
【請求項１２】
少なくとも一つのプロセッサは、前記キャリア割り当て情報に従って異なる電力クラスに関連する異なるキャリアの上で前記アクセスポイントから低減された電力で異なる信号を受信するように更に構成された請求項１０の無線通信装置。
【請求項１３】
前記アクセスポイントは、マクロセル・アクセスポイントである請求項１２の無線通信装置。
【請求項１４】
複数のキャリアと複数のアクセスポイント電力クラスとの間の関連付けを指定するキャリア割り当て情報を取得するための手段と、
前記キャリア割り当て情報及びアクセスポイントの電力クラスに少なくとも部分的に基づいて判定された該アクセスポイントからの検出可能なアンカー・キャリアの上で信号を受信するための手段とを含む装置。
【請求項１５】
前記信号を受信するための前記手段は、異なるキャリアの上で前記アクセスポイントに異なる信号を送信し、
前記検出可能なアンカー・キャリアの上で受信される信号は、制御データ信号である請求項１４の装置。
【請求項１６】
前記信号を受信するための手段は、低減された電力で前記信号を受信し、
前記検出可能なアンカー・キャリアは、前記キャリア割り当て情報に従って異なる電力クラスのアクセスポイントに関連付けられる請求項１４の装置。
【請求項１７】
前記アクセスポイントは、マクロセル・アクセスポイントである請求項１６の装置。
【請求項１８】
少なくとも一つのコンピュータに、ある電力クラスのアクセスポイントに割り当てられる検出可能なアンカー・キャリアを判定させるためのコードと、
前記少なくとも一つのコンピュータに、前記検出可能なアンカー・キャリアの上で前記電力クラスのアクセスポイントから伝送を受信させるためのコードとを含むコンピュータ読み取り可能な媒体含むコンピュータ・プログラム製品。
【請求項１９】
前記コンピュータ読み取り可能な媒体は、前記少なくとも一つのコンピュータに、異なるキャリアの上で前記アクセスポイントに送信させるためのコードを更に含み、
前記検出可能なアンカー・キャリアの上で前記アクセスポイントから受信される前記伝送は、制御データ伝送である請求項１８のコンピュータ・プログラム製品。
【請求項２０】
前記アクセスポイントは、異なる電力クラスを有する異なるアクセスポイントとカバレージエリアがオーバーラップし、
前記異なるアクセスポイントは、前記異なる電力クラスに少なくとも部分的に基づいて１又は複数の異なるキャリアの上で通信する請求項１８のコンピュータ・プログラム製品。
【請求項２１】
前記コンピュータ読み取り可能な媒体は、前記少なくとも一つのコンピュータに、前記伝送を受信させるためのコードは、前記アクセスポイントの前記電力クラス及び前記検出可能なアンカー・キャリアに少なくとも部分的に基づいて低い電力レベルで前記アクセスポイントから前記伝送を受信する請求項２０のコンピュータ・プログラム製品。
【請求項２２】
複数のキャリアと複数のアクセスポイント電力クラスとの間の関連付けを指定するキャリア割り当て情報を取得するキャリア情報受信コンポーネントと、
前記キャリア割り当て情報及びアクセスポイントの電力クラスに少なくとも部分的に基づいて判定された該アクセスポイントからの検出可能なアンカー・キャリアの上で信号を受信するキャリア通信コンポーネントとを含む装置。
【請求項２３】
前記キャリア通信コンポーネントは、異なるキャリアの上で前記アクセスポイントに異なる信号を送信し、
前記検出可能なアンカー・キャリアの上で受信される信号は、制御データ信号である請求項２２の装置。
【請求項２４】
前記キャリア通信コンポーネントは、低減された電力で前記信号を受信し、
前記検出可能なアンカー・キャリアは、前記キャリア割り当て情報に従って異なる電力クラスのアクセスポイントに関連付けられる請求項２２の装置。
【請求項２５】
前記アクセスポイントは、マクロセル・アクセスポイントである請求項２４の装置。
【請求項２６】
異なる電力クラスのアクセスポイントのためのキャリアを指定するキャリア割り当て情報を受信することと、
前記キャリア割り当て情報及び電力クラスに少なくとも部分的に基づいて、無線ネットワーク中で信号を送信するためのキャリアを選択することと、
前記キャリアの上で１又は複数のモバイル・デバイスに信号を送信することを含む方法。
【請求項２７】
前記キャリア割り当て情報を受信することは、マクロセル・アクセスポイントから前記キャリア割り当て情報を受信することを含む請求項２６の方法。
【請求項２８】
前記１又は複数のモバイル・デバイスの近接性を判定することを更に含み、
前記キャリアは、異なる電力のクラスに関係し、前記１又は複数のモバイル・デバイスの前記近接性に少なくとも部分的に基づいて選択される請求項２６の方法。
【請求項２９】
１又は複数の異なるキャリアの上で前記１又は複数のモバイル・デバイスから信号を受信することを更に含み、
前記キャリアは、アンカー・キャリアであり、前記信号は、前記アンカー・キャリアの上で送信される制御信号である請求項２６の方法。
【請求項３０】
前記キャリア割り当て情報は、マクロセル・アクセスポイント電力クラスのための制限の無い電力を持つオープンアクセス共有キャリア、フェムトセル又はピコセル・アクセスポイント電力クラスのための低い電力を持つオープンアクセス共有キャリア、及び、クローズドサブスクライバーグループ・アクセスポイント電力クラスのための低い電力を持つクローズドアクセスキャリアを指定する請求項２６の方法。
【請求項３１】
前記１又は複数のモバイル・デバイスから干渉情報を受信することを更に含み、
前記キャリアは、前記干渉情報に少なくとも部分的に基づいて、複数のキャリアから選択される請求項２６の方法。
【請求項３２】
前記キャリア割り当て情報に少なくとも部分的に基づいて、前記信号を送信するための電力を判定することを更に含む請求項２６の方法。
【請求項３３】
前記キャリア割り当て情報を、提供されたセル中の１又は複数のアクセスポイントに送信することを更に含む請求項２６の方法。
【請求項３４】
ネットワーク仕様又は受信された構成に基づいて、前記キャリア割り当て情報を生成することを更に含む請求項３３の方法。
【請求項３５】
複数のキャリアと複数のアクセスポイント電力クラスとの間の関連付けを指示するキャリア割り当て情報を受信し、
前記キャリア割り当て情報に少なくとも部分的に基づいて、無線ネットワークにおいて通信するためのキャリアを選択し、
前記キャリアの上で１又は複数のモバイル・デバイスに信号を送信するように構成された少なくとも一つのプロセッサと、
前記少なくとも一つのプロセッサに接続されたメモリとを含む無線通信装置。
【請求項３６】
前記少なくとも一つのプロセッサは、マクロセル・アクセスポイントから前記キャリア割り当て情報を受信する請求項３５の無線通信装置。
【請求項３７】
前記キャリアは、前記キャリア割り当て情報に従って異なる電力クラスに関連付けられ、
前記少なくとも一つのプロセッサは、前記キャリアの上で信号を送信するために電力を前記異なる電力クラスのそれに低減するように更に構成される請求項３５の無線通信装置。
【請求項３８】
前記無線通信装置は、マクロセル・アクセスポイントの少なくとも一部分である請求項３５の無線通信装置。
【請求項３９】
複数のキャリアを複数のアクセスポイント電力クラスと関連付けるキャリア割り当て情報を受信するための手段と、
前記キャリア割り当て情報及び電力クラスに少なくとも部分的に基づいて送信するためのキャリアを選択するための手段と、
前記キャリアの上で１又は複数のモバイル・デバイスに信号を送信するための手段とを含む装置。
【請求項４０】
前記キャリア割り当て情報を受信するための手段は、マクロセル・アクセスポイントから前記キャリア割り当て情報を受信する請求項３９の装置。
【請求項４１】
前記キャリアを選択するための手段は、前記１又は複数のモバイル・デバイスの近接性を取得し、前記１又は複数のモバイル・デバイスの前記近接性に少なくとも部分的に基づいて異なる電力のクラスに関係する前記キャリアを選択する請求項３９の装置。
【請求項４２】
前記信号を送信するための前記手段は、１又は複数の異なるキャリアの上で前記１又は複数のモバイル・デバイスから信号を受信することを更に含み、
前記キャリアは、アンカー・キャリアであり、前記信号は、前記アンカー・キャリアの上で送信される制御データ信号である請求項３９の装置。
【請求項４３】
少なくとも一つのコンピュータに、異なる電力クラスのアクセスポイントのためのキャリアを指定するキャリア割り当て情報を受信させるためのコードと、
前記少なくとも一つのコンピュータに、前記キャリア割り当て情報及び電力クラスに少なくとも部分的に基づいて、無線ネットワーク中で信号を送信するためのキャリアを選択させるためのコードと、
前記キャリアの上で１又は複数のモバイル・デバイスに信号を送信させるためのコードとを含むコンピュータ読み取り可能な媒体を含むコンピュータ・プログラム製品。
【請求項４４】
前記少なくとも一つのコンピュータに前記キャリア割り当て情報を受信させるための前記コードは、マクロセル・アクセスポイントから前記キャリア割り当て情報を受信する請求項４３のコンピュータ・プログラム製品。
【請求項４５】
前記コンピュータ読み取り可能な媒体は、前記少なくとも一つのコンピュータに、前記１又は複数のモバイル・デバイスの近接性を判定させるためのコードを更に含み、
前記キャリアは、異なる電力のクラスに関係し、前記１又は複数のモバイル・デバイスの前記近接性に少なくとも部分的に基づいて選択される請求項４３のコンピュータ・プログラム製品。
【請求項４６】
前記コンピュータ読み取り可能な媒体は、前記少なくとも一つのコンピュータに、１又は複数の異なるキャリアの上で前記１又は複数のモバイル・デバイスから信号を受信させるためのコードを更に含み、
前記キャリアは、アンカー・キャリアであり、前記信号は、前記アンカー・キャリアの上で送信される制御信号である請求項４３のコンピュータ・プログラム製品。
【請求項４７】
複数のキャリアを複数のアクセスポイント電力クラスと関連付けるキャリア割り当て情報を受信するキャリア構成コンポーネントと、
前記キャリア割り当て情報及び電力クラスに少なくとも部分的に基づいて送信するためのキャリアを選択するキャリア選択コンポーネントと、
前記キャリアの上で１又は複数のモバイル・デバイスに信号を送信するキャリア通信コンポーネントとを含む装置。
【請求項４８】
前記キャリア構成コンポーネントは、マクロセル・アクセスポイントから前記キャリア割り当て情報を受信する請求項４７の装置。
【請求項４９】
前記キャリア選択コンポーネントは、前記１又は複数のモバイル・デバイスの近接性を取得し、前記１又は複数のモバイル・デバイスの前記近接性に少なくとも部分的に基づいて異なる電力のクラスに関係するキャリアを選択する請求項４７の装置。
【請求項５０】
前記キャリア通信コンポーネントは、１又は複数の異なるキャリアの上で前記１又は複数のモバイル・デバイスから信号を受信し、
前記キャリアは、アンカー・キャリアであり、前記信号は、前記アンカー・キャリアの上で送信される制御データ信号である請求項４７の装置。
【発明の詳細な説明】
【技術分野】
【０００１】
（相互参照）
この出願は、２００８年９月１５日付け提出された「INTERFERENCE MANAGEMENT IN A MULTI-CARRIER COMMUNICATION SYSTEM」と題された米国仮出願第６１／０９６，９２９号及び２００９年４月２３日付け提出された「INTERFERENCE MANAGEMENT IN A MULTI-CARRIER COMMUNICATION SYSTEM」と題された米国仮出願第６１／１７２，１６０号の利益を主張する。それらの全体が参照によって本明細書に組み込まれる。
【０００２】
（技術分野）
本開示は、一般に無線通信に関し、より詳しくはマルチキャリア通信システムにおける干渉の管理に関する。
【背景技術】
【０００３】
無線通信システムは、様々なタイプの通信コンテンツ（例えば、ボイス、データなど）を提供するために広く配備される。典型的な無線通信システムは、利用可能なシステム資源（例えば、バンド幅、送信電力、…）を共有することによって、複数のユーザとの通信をサポートすることができる多元接続システムであっても良い。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含んでも良い。さらに、それらシステムは、例えば第３世代パートナーシッププロジェクト（３ＧＰＰ）、３ＧＰＰロングタームエボリューション（ＬＴＥ）、ウルトラ・モバイル・ブロードバンド（ＵＭＢ）などのような仕様（specifications）に準拠（conform）することができる。
【０００４】
通常、無線多元接続通信システムは、複数のモバイル・デバイスのための通信を同時にサポートし得る。各々のモバイル・デバイスは、順方向リンク及び逆方向リンクの上での伝送を介して１又は複数のアクセスポイント（例えば、基地局、フェムトセル、ピコセル、リレー・ノード及び／又はその他）と通信し得る。順方向リンク（又はダウンリンク）は、アクセスポイントからモバイル・デバイスへの通信リンクを指し示し、逆方向リンク（又はアップリンク）は、モバイル・デバイスからアクセスポイントへの通信リンクを指し示す。さらに、モバイル・デバイスとアクセスポイントとの間の通信は、単一入力単一出力（ＳＩＳＯ）システム、多重入力単一出力（ＭＩＳＯ）システム、多重入力多重出力（ＭＩＭＯ）システム、その他により確立され得る。さらに、モバイル・デバイスは、ピアツーピア無線ネットワーク構成（configurations）において他のモバイル・デバイス（及び／又は他のアクセスポイントを伴うアクセスポイント）と通信することができる。
【０００５】
さらに、アクセスポイントが複数のキャリア上で各モバイル・デバイスと送受信できるように、無線通信システムは、複数の周波数キャリア上で通信をサポートすることができる。さらに、無線通信ネットワークは、異なる電力レベルで無線ネットワーク・アクセスをモバイル・デバイスへ提供する幾つかのアクセスポイントを含むことができる。例えば、無線通信ネットワークは、高い電力で送信することによって広いカバレージエリアを提供するマクロセル・アクセスポイント、低い電力で送信することによってより狭いカバレージエリアを提供するフェムトセル又はピコセル・アクセスポイント、及び／又は、その他を含むことができる。一つの例において、フェムトセル又はピコセルは、ごく近隣（close proximity）において、調整された（tailored）カバレージを１又は複数のモバイル・デバイスに提供することができ、また、マクロセル・アクセスポイントによりカバーされるサービスエリア中に配備されることができる。しかし、電力の不均衡（disparity）及び不均一な配備（heterogeneous deployment）のため、アクセスポイントは、同様の資源の上で送信又は受信するとき、互いに干渉する可能性がある。
【発明の概要】
【０００６】
以下は、クレームされた主題の様々な態様の簡略化された概要を、そのような態様の基本的な理解を提供するために示す。この概要は、すべての予期される態様の外延的な概要であるというわけではなく、また、鍵となる又は重要な要素を識別することも、そのような態様の範囲を線引きすることも、いずれも意図されていない。その唯一の目的は、後で示されるより詳しい説明への前置きとして開示された態様の幾つかの概念を簡略化された形で提示することである。
【０００７】
１又は複数の実施態様及びその対応する開示に従って、無線ネットワークにおいて異なるキャリアを異なるセルに割り当てることを容易にすることに関連して様々な態様が説明される。一つの例において、キャリアは、オーバーラップするカバレージエリアを持つアクセスポイント間の干渉を軽減するために、セル（例えば、マクロセル、フェムトセル、ピコセルなど）を提供するアクセスポイントの電力クラスに従って割り当てられることができる。さらに、１又は複数のキャリアは、最適な経路損失のセル選択（optimal path loss cell selection）を様々な（different）電力クラスのセルに提供するために、所定の電力クラスのアクセスポイントのために予約されることができる。一つの例において、アップリンク通信は実質的に任意のキャリアの上で生じることができるが、ダウンリンク通信については（及び／又はデータ・タイプ（例えば、制御、一般データなど）に基づいて）、電力クラスに従って割り当てられるキャリアが強制（enforced）されることができる。この点において、オーバーラップするカバレージエリアを持つ異なる電力クラスのアクセスポイントから送信されるデータについて、電力クラスに適切なキャリアを使用することによって、干渉が軽減される。
【０００８】
関係する態様に従って、ある電力クラスのアクセスポイントに割り当てられるキャリアを判定することを含む方法が提供される。前記方法は、前記キャリアの上で前記電力クラスのアクセスポイントから伝送を受信することを更に含む。
【０００９】
他の態様は、無線通信装置に関係する。前記無線通信装置は、複数の検出可能なアンカー・キャリアと複数のアクセスポイント電力クラスとの間の関連付けを示すキャリア割り当て情報を取得するように構成された少なくとも一つのプロセッサを含むことができる。前記少なくとも一つのプロセッサは、ある電力クラスのアクセスポイントからあるアンカー・キャリア（該アンカー・キャリアは、前記キャリア割り当て情報に従って前記電力クラスに関連付けられる）の上で信号を受信するように更に構成される。前記無線通信装置はまた、前記少なくとも一つのプロセッサに接続されたメモリを含む。
【００１０】
さらにもう一つの態様は、装置に関係する。前記装置は、複数のキャリアと複数のアクセスポイント電力クラスとの間の関連付けを指定するキャリア割り当て情報を取得するための手段を含む。前記装置は、前記キャリア割り当て情報及びアクセスポイントの電力クラスに少なくとも部分的に基づいて判定された該アクセスポイントからの検出可能なアンカー・キャリアの上で信号を受信するための手段を更に含む。
【００１１】
さらに他の態様は、コンピュータ・プログラム製品に関係する。それは、少なくとも一つのコンピュータに、ある電力クラスのアクセスポイントに割り当てられる検出可能なアンカー・キャリアを判定させるためのコードを含むコンピュータ読み取り可能な媒体を有することができる。前記コンピュータ読み取り可能な媒体はまた、前記少なくとも一つのコンピュータに、前記検出可能なアンカー・キャリアの上で前記電力クラスのアクセスポイントから伝送を受信させるためのコードを含むことができる。
【００１２】
さらに、更なる態様は、複数のキャリアと複数のアクセスポイント電力クラスとの間の関連付けを指定するキャリア割り当て情報を取得するキャリア情報受信コンポーネントを含む装置に関係する。前記装置は、前記キャリア割り当て情報及びアクセスポイントの電力クラスに少なくとも部分的に基づいて判定された該アクセスポイントからの検出可能なアンカー・キャリアの上で信号を受信するキャリア通信コンポーネントを更に含むことができる。
【００１３】
更なる態様に従って、異なる電力クラスのアクセスポイントのためのキャリアを指定するキャリア割り当て情報を受信することを含む方法が提供される。前記方法はまた、前記キャリア割り当て情報及び電力クラスに少なくとも部分的に基づいて、無線ネットワーク中で信号を送信するためのキャリアを選択することと、前記キャリアの上で１又は複数のモバイル・デバイスに信号を送信することを含む。
【００１４】
他の態様は、無線通信装置に関係する。前記無線通信装置は、複数のキャリアと複数のアクセスポイント電力クラスとの間の関連付けを指示するキャリア割り当て情報を受信し、前記キャリア割り当て情報に少なくとも部分的に基づいて、無線ネットワークにおいて通信するためのキャリアを選択するように構成された少なくとも一つのプロセッサを含むことができる。前記少なくとも一つのプロセッサは、前記キャリアの上で１又は複数の無線デバイスに信号を送信するように更に構成される。前記無線通信装置はまた、前記少なくとも一つのプロセッサに接続されたメモリを含む。
【００１５】
さらにもう一つの態様は、装置に関係する。前記装置は、複数のキャリアを複数のアクセスポイント電力クラスと関連付けるキャリア割り当て情報を受信するための手段を含む。前記装置は、前記キャリア割り当て情報及び電力クラスに少なくとも部分的に基づいて送信するためのキャリアを選択するための手段と、前記キャリアの上で１又は複数のデバイスに信号を送信するための手段とを更に含む。
【００１６】
さらに他の態様は、コンピュータ・プログラム製品に関係する。それは、少なくとも一つのコンピュータに、異なる電力クラスのアクセスポイントのためのキャリアを指定するキャリア割り当て情報を受信させるためのコードを含むコンピュータ読み取り可能な媒体を有することができる。前記コンピュータ読み取り可能な媒体はまた、前記少なくとも一つのコンピュータに、前記キャリア割り当て情報及び電力クラスに少なくとも部分的に基づいて、無線ネットワーク中で信号を送信するためのキャリアを選択させるためのコードと、前記キャリアの上で１又は複数のモバイル・デバイスに信号を送信させるためのコードとを含むことができる。
【００１７】
さらに、更なる態様は、複数のキャリアを複数のアクセスポイント電力クラスと関連付けるキャリア割り当て情報を受信するキャリア構成コンポーネントを含む装置に関係する。前記装置は、前記キャリア割り当て情報及び電力クラスに少なくとも部分的に基づいて送信するためのキャリアを選択するキャリア選択コンポーネントと、前記キャリアの上で１又は複数のデバイスに信号を送信するキャリア通信コンポーネントとを更に含むことができる。
【００１８】
前述の目的及び関係する目的の達成のために、１又は複数の実施形態は、以下に十分に説明され、特に特許請求の範囲において指摘された特徴を包含する。以下の説明及び添付された図面は、１又は複数の実施形態の幾つかの説明的な態様を説明する。これらの態様は、しかし、様々な実施形態の原理が使用されることのできる様々な方法のうちのほんの数例を示す。また、この説明は、すべてのそのような態様及びそれらの均等物を含むことが意図される。
【図面の簡単な説明】
【００１９】
【図１】図１は、電力クラスに従ってキャリアをアクセスポイントに割り当てるためのシステムのブロック図である。
【図２】図２は、無線通信環境内での使用のための例示的な通信装置の説明図である。
【図３】図３は、アクセスポイント電力クラスに従って割り当てられるキャリアの上で通信することを実現する例示的な無線通信ネットワークを説明する。
【図４】図４は、電力クラスに従ってキャリアをセル中のアクセスポイントに割り当てる例示的な無線通信システムを示す。
【図５】図５は、異なる電力クラスに割り当てられるキャリアの上でデバイスへ送信することを容易にする例示的な無線通信システムを示す。
【図６】図６は、干渉をもたらすことなく異なる電力クラスに割り当てられるキャリアの上でデバイスと通信することを容易にする例示的な無線通信システムを示す。
【図７】図７は、電力クラスに基づいてアクセスポイントに割り当てられるキャリアの上で通信を受信する例示的な手順のフローチャートである。
【図８】図８は、電力クラスに従って無線通信ネットワーク中でキャリアを利用する例示的な手順のフローチャートである。
【図９】図９は、電力クラスによりアクセスポイントに割り当りてられるキャリアの上で信号を受信する例示的な装置のブロック図である。
【図１０】図１０は、電力クラス及びキャリア割り当て情報に従って信号を送信するためのキャリアを選択することを容易にする例示的な装置のブロック図である。
【図１１】図１１−１２は、本明細書で説明される機能性の様々な態様を実装するために利用されることができる例示的な無線通信デバイスのブロック図である。
【図１２】図１１−１２は、本明細書で説明される機能性の様々な態様を実装するために利用されることができる例示的な無線通信デバイスのブロック図である。
【図１３】図１３は、本明細書で説明される様々な態様に従って例示的な無線多元接続通信システムを示す。
【図１４】図１４は、本明細書で説明される様々な態様が機能できる例示的な無線通信システムを示すブロック図である。
【図１５】図１５は、本明細書で説明される様々な態様をサポート及び利用できる無線通信ネットワークの説明図である。
【詳細な説明】
【００２０】
さて、クレームされた主題の様々な態様が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）態様がこれら特定の細部なしに実施され得ることは明らかであろう。他のインスタンスにおいて、１又は複数の態様の説明を容易にするために、良く知られた構造及びデバイスが、ブロック図の形で示される。
【００２１】
この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、集積回路、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信することができる。
【００２２】
さらにまた、無線端末及び／又は基地局に関連して様々な態様が本明細書で説明される。無線端末は、ボイス及び／又はデータ接続性をユーザに提供するデバイスを指し示すことができる。無線端末は、例えばラップトップ・コンピュータ又はデスクトップ・コンピュータのようなコンピュータデバイスに接続されることができ、又は、それは、例えば携帯情報端末（ＰＤＡ）のような内蔵型の（self contained）デバイスであることができる。無線端末はまた、システム、加入者ユニット、加入者設備、モバイル局、モバイル、リモート局、アクセスポイント、リモート端末、アクセス端末、ユーザ端末、ユーザ・エージェント、ユーザデバイス又はユーザ装置（ＵＥ）と呼ばれることができる。無線端末は、加入者設備、無線デバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス又は無線モデムに接続される他の処理デバイスであることができる。基地局（例えば、アクセスポイント又は発展型Ｎｏｄｅ Ｂ（Evolved Node B）（ｅＮＢ））は、エアーインタフェース上で１又は複数のセクターを通して無線端末と通信するアクセスネットワーク中のデバイスを指し示すことができる。基地局は、無線端末と他のアクセスネットワークと間のルータとして動作することができる。それは、受信したエアーインタフェース・フレームをＩＰパケットへ変換することによって、インターネット・プロトコル（ＩＰ）ネットワークを含むことができる。基地局はまた、エアーインタフェースに関するアトリビュート（attributes）の管理を調整（coordinates）する。
【００２３】
さらに、本明細書で説明される様々な機能は、ハードウェア、ソフトウェア、ファームウェア又はそれらの任意の組み合せにおいて実装されることができる。ソフトウェアで実装される場合には、該機能は、１又は複数のインストラクション又はコードとして、コンピュータ読み取り可能な媒体に格納され又は、コンピュータ読み取り可能な媒体をわたって伝送されることができる。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であることができる。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、又は、インストラクション又はデータ構造の形で所望のプログラム・コードを伝達（carry）又は記憶するために使用されることができ且つコンピュータによりアクセスされることができる任意の他の媒体を含むことができる。また、任意のコネクションは、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）（ＢＤ）を含む。ここで、ディスク（disks）は、通常、磁気的にデータを再生（reproduce）し、ディスク（discs）は、レーザーを使って光学的にデータを
再生する。上記の組み合わせはまた、コンピュータ読み取り可能な媒体の範囲の中に含まれるべきである。
【００２４】
本明細書で説明される様々な技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム及びその他のそのようなシステムのような、様々な無線通信システムのために使用されることができる。用語“システム”及び“ネットワーク”は本明細書でしばしば互換的に使用される。ＣＤＭＡシステムは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。さらに、ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装することができる。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用する来るリリースであり、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、 “第３世代パートナーシッププロジェクト”（３ＧＰＰ）と言う名前の団体からのドキュメントに記載されている。さらに、ＣＤＭＡ２０００及びＵＭＢは、“第３世代パートナーシッププロジェクト２”（３ＧＰＰ２）という名前の団体からのドキュメントに記載されている。
【００２５】
幾つかのデバイス、コンポーネント、モジュールなどを含むことができるシステムに関して様々な態様が示される。様々なシステムは、更なるデバイス、コンポーネント、モジュールなどを含むことができ、及び／又は、必ずしも図面に関連して述べられたデバイス、コンポーネント、モジュールなどのすべてを含まなくでも良い。また、これらのアプローチの組み合せが使用されることができる。
【００２６】
さて、図面を参照して、図１は、電力クラスに従ってキャリアをアクセスポイントに割り当てることを容易にする例示的な無線ネットワーク１００を示す。無線デバイス１０６及び１０８とそれぞれ通信するアクセスポイント１０２及び１０４が提供される。アクセスポイント１０２及び１０４は、異なる電力クラスであることができる。例えば、アクセスポイント１０２は、大きなカバレージエリアにわたって複数の無線デバイス（例えば、無線デバイス１０６）に無線ネットワーク・アクセスを提供するマクロセル・アクセスポイントであることができ、また、アクセスポイント１０４は、より小さなカバレージエリアにおいて１又は複数の無線デバイス（例えば、無線デバイス１０８）に特定の無線ネットワーク・アクセスを提供するフェムトセル・アクセスポイントであることができる。さらに、アクセスポイント１０２及び１０４により提供されるカバレージエリアは、オーバーラップする可能性があり、それは一般的に同様の通信資源の上で干渉をもたらす可能性がある。無線デバイス１０６及び１０８は、無線ネットワークにおいて通信することができる実質的に任意の種類のデバイス（例えば、モバイル・デバイス、アクセスポイント、リレー・ノードなど）であることができる。
【００２７】
一つの例に従って、アクセスポイント１０２及び１０４は、エリア中の無線デバイスと通信するために異なるキャリアを割り当てられることができる。一つの例において、言及されるように、アクセスポイント１０２は、マクロセル・アクセスポイントであることができ、また、そのセルのうちの１又は複数の中のアクセスポイントのためにキャリア割り当てを定義することができる。この例において、アクセスポイント１０２は、アクセスポイント１０４へ（例えばその電力クラスに基づいて）キャリア割り当て情報（例えばアクセスポイント１０４により使用されることができる１又は複数のキャリア）を伝えることができる。キャリア割り当て情報は、例えば、アンカー・キャリアの指定を含むことができる。アンカー・キャリアは、エリア中のある電力クラスのアクセスポイントからの通信のために明示的に予約されたキャリアを指し示すことができる。他の例において、電力クラス・キャリア割り当てごとに、アンカー・キャリア仕様などがすべてのセルの間で同様になるように、エリアは、全無線ネットワークに関係することができる。アクセスポイント１０２及び１０４は、この例では、コア・ネットワークからキャリア割り当て情報を得ることができる。本明細書で説明されるように、電力クラスに特有のキャリアを割り当てることについて、実質的に任意のエリアが定義されることができることは、認識されるべきである。
【００２８】
一つの例において、アクセスポイント１０２及び１０４は、割り当てられたキャリアの上でパイロット信号又はシステム捕捉情報（system acquisition information）を提供することができる。この点については、無線デバイス１０６及び１０８は、アクセスポイント電力クラスにかかわりなく、最良の経路損失、セル負荷、バックホール負荷など（及び／又は最適な信号対雑音比（ＳＮＲ））に基づいて、適切なアクセスポイントを探索及び選択することができる。さらに、各々のアクセスポイントのキャリア指定は、システム情報の中で無線デバイス１０６及び１０８へ伝えられることができる。一つの例において、無線デバイス１０６及び１０８は、制御及び／又はデータを受信するための特定のアンカー・キャリア及び／又は電力クラスを持つセルを選択するために、無線ネットワーク（図示せず）による指示に基づいて、適切なアクセスポイント１０２又は１０４に関連付けられることができることは、認識されるべきである。
【００２９】
図示されるように、アクセスポイント１０２は、キャリア１の上で無線デバイス１０６と通信し、一方、アクセスポイント１０４は、キャリア２の上で無線デバイス１０８と通信する。これは、ダウンリンク及び／又はアップリンクの、制御データ及び／又は一般的なデータの通信のためであることができる。それゆえ、アクセスポイント１０２及び１０４がそれらのカバレージエリアにおいてオーバーラップする場合でさえ、それらが異なるキャリアの上にある場合には、アクセスポイントとの特定の通信は干渉しないであろう。さらに、他のキャリア（例えばキャリア３）が、利用可能であっても良く、したがって、それが１又は複数のアクセスポイント電力クラスに割り当てられても良い。この例では、しかし、各々の定義された電力クラスは、その電力クラスに対して保証（guaranteed）され、且つ、関係するアクセスポイント１０２及び１０４と通信する無線デバイス１０６及び１０８により検出可能なアンカー・キャリアを有する。アクセスポイントの所定の電力クラスに割り当てられるアンカー・キャリアは、無線デバイス、アクセス、アイドル状態キャンピング(idle state camping）、信頼できる制御カバレージなどとの同期を可能にすることができる。図示された例において、キャリア１は、アンカー・キャリアとしてアクセスポイント１０２の電力クラスに指定されることができ、また、キャリア２は、アクセスポイント１０４の電力クラスに指定されることができる。しかし、キャリア３は、通信のための追加的なキャリアとして１又は複数のアクセスポイント１０２の電力クラスに割り当てられることができる。
【００３０】
他の例に従って、同様の電力クラスのアクセスポイントはまた、（例えば、不均一な配備のために）互いに干渉する可能性がある。追加的なキャリアをアクセスポイントへ提供することは、潜在的に干渉するアクセスポイントが、干渉を軽減するために、該追加的なキャリアを利用することを可能にする。さらに、該アクセスポイントは、干渉を軽減するために、周波数再利用スキームを実装することができる。しかし、本明細書で説明される機能性は、アクセスポイント電力クラスにかかわりなく、最適な経路損失の選択を容易にするので、同様の電力クラスのアクセスポイント間のそのような干渉の緩和が必要でない場合があることは認識されるべきである。
【００３１】
さらに、例えば、アクセスポイント１０２及び１０４は、アップリンク通信については実質的に全ての利用可能なキャリアを使用するが、ダウンリンク通信についてはキャリア割り当てを利用することができる。キャリア利用情報は、無線ネットワーク仕様、そのセルの中の他のアクセスポイントのためにアクセスポイント１０２により受信された構成及び／又はその他に従って定義されることができる。この点については、アクセスポイント１０２及び１０４並びに無線デバイス１０６及び１０８は、例えば、ダウンリンク・キャリアがアップリンク・キャリアと必ずしもマッチ（match up ）しなくてもよいクロス・キャリア・オペレーション（cross-carrier operation）を使用することができる。それゆえ、例えば、アクセスポイント１０２は、キャリア１の上でダウンリンク制御データ（例えば許可（grants）及びハイブリッド自動再送要求（hybrid automatic repeat/request）（ＨＡＲＱ）フィードバック）を無線デバイス１０６に送信することができるが、キャリア１，２及び／又は３の上でアップリンク制御データを無線デバイス１０６から受信することができる。この点については、制御データを送信するためにアンカー・キャリアを使用することは、他の電力クラスのアクセスポイントに干渉しないであろうアクセスポイントの所定の電力クラスのために該制御データを送信するための単一の信頼できるキャリアを提供する。説明されるように、通信がそれとともにより高いＳＮＲ信号によりおそらく干渉されないように、キャリア割り当ては、無線デバイス（例えば、無線デバイス１０６及び１０８）が、最適な経路損失を持つアクセスポイントを選択することを可能にするので、干渉は、アップリンク・データについて軽減される必要がない場合がある。
【００３２】
さらに他の例では、明示的なキャリア割り当てを使用するよりはむしろ、アクセスポイント１０２及び１０４は、特定のキャリアを送信電力と関連付けることができる。例えば、アクセスポイント１０４及び無線デバイス１０８がアクセスポイント１０２のカバレージエリアのエッジの近くに位置する場合に、それらは、アクセスポイント１０２の通信に干渉しないように、低い電力を持つアクセスポイント１０２のアンカー・キャリア（キャリア１）を使用して通信することができる。これは、更に本明細書で説明されるように、異なるキャリア構成を有する他のカバレージエリアのセルからの干渉を軽減することができる。同様に、アクセスポイント１０２は、アクセスポイント１０４に干渉しないように、低い電力を使用して近隣のデバイスとの通信のためにキャリア２を利用することができる。これは、例えばキャリア１及び３がアクセスポイント１０２により非常に利用される場合及び／又は同様のシナリオなどの場合に、性能上の理由でなされる可能性がある。さらに、図示されないが、無線デバイス１０６がそのようなマルチキャリア構成においてアクセスポイント１０４（及び／又はアクセスポイント１０２を伴う無線デバイス１０８）と更に通信することができることは認識されるべきである。
【００３３】
次に、図２を参照して、無線通信ネットワークに参加することができる通信装置２００が説明される。通信装置２００は、アクセスポイント、その部分、又は、無線ネットワークへのアクセスを提供することができる実質的に任意のデバイス（例えば、ピアツーピア構成のモバイル・デバイス、モバイル基地局、リレー・ノード、及び／又は、その他）であることができる。通信装置２００は、キャリア割り当てに関する情報を受信するキャリア構成コンポーネント２０２、キャリア割り当て情報に基づいてキャリアを選択するキャリア選択コンポーネント２０４、及び、選択されたキャリアを使用して１又は複数の無線デバイスへのデータの送信及び／又はからのデータの受信を行う通信コンポーネント２０６を含むことができる。  
一つの例に従って、キャリア構成コンポーネント２０２は、仕様、構成、異なるネットワーク・コンポーネント（図示せず）、セルを提供するマクロセル・アクセスポイント（図示せず）及び／又はその他から、キャリア割り当て情報を得ることができる。キャリア割り当て情報は、異なる電力クラスのアクセスポイントにより利用されることができる１又は複数のキャリア（例えば、アンカー・キャリア、及び／又は、１又は複数の追加的なキャリア）を指定することができる。キャリア選択コンポーネント２０４は、キャリア割り当て情報に基づいて、その上で通信する１又は複数のキャリアを判定することができる。例えば、通信装置２００が、該情報中において指定される電力クラスのものである場合に、キャリア選択コンポーネント２０４は、対応するキャリアを選択することができる。キャリア通信コンポーネント２０６は、選択されたキャリアの上で１又は複数のデバイス（図示せず）への送信及び／又はからの受信を行うことができる。
【００３４】
説明されるように、キャリア選択コンポーネント２０４は、通信装置２００の電力クラスについて指示されたアンカー・キャリアを選択することができ、キャリア通信コンポーネント２０６は、該アンカー・キャリアの上でパイロット信号又は他のシステム捕捉情報を送信することができる。これは他のアクセスポイントからのそのような通信について干渉を軽減する。そして、それは、デバイスが、アクセスポイントの電力クラスにかかわりなく、最適な経路損失を持つアクセスポイントを選択するのを可能にすることができる。さらに、説明されるように、キャリア選択コンポーネント２０４は、キャリア通信コンポーネント２０６がダウンリンク通信で利用することができる通信装置２００の電力クラスのためのキャリアを選択することができ、また、アップリンク通信を受信するためにキャリア通信コンポーネント２０６のための追加的な利用可能なキャリアを選択することができる。この点については、キャリア通信コンポーネント２０６は、様々なデバイスとのクロス・キャリア通信を容易にする。
【００３５】
さて、図３を参照して、電力クラスに従ってアクセスポイントに通信キャリアを割り当てるのを容易にする無線通信システム３００が説明される。説明されるように、アクセスポイント１０２及び１０４は、無線ネットワーク・アクセスを提供する実質的に任意のタイプの基地局又はモバイル・デバイス（例えば、独立して電力供給される（independently powered）デバイスだけでなくモデムも含む）及び／又はその部分であることができる。さらに、無線デバイス１０６は、無線ネットワーク・アクセスを受信するモバイル・デバイス又は他のデバイスであることができる。さらに、システム３００は、ＭＩＭＯシステムであることができ、及び／又は、１又は複数の無線ネットワーク・システム仕様（例えば、ＥＶ−ＤＯ、３ＧＰＰ、３ＧＰＰ２、３ＧＰＰ ＬＴＥ、ＷｉＭＡＸなど）に準拠することができる。また、アクセスポイント１０２中に示され、下で説明されるコンポーネント及び機能性は、アクセスポイント１０４中に存在することができる。
【００３６】
アクセスポイント１０２は、アクセスポイント１０２により提供されるセルのためのキャリア割り当て情報を維持する構成管理コンポーネント３０２、該キャリア割り当て情報に少なくとも部分的に基づいてキャリアをアクセスポイント電力クラスに関連付けるキャリア割り当てコンポーネント３０４、該アクセスポイント１０２の電力クラスに基づいて１又は複数の無線デバイスと通信するためのキャリアを選択するキャリア選択コンポーネント２０４、及び、該選択されたキャリアの上でデバイスと通信するキャリア通信コンポーネント２０６を含む。アクセスポイント１０４は、ネットワーク・コンポーネント又は異なるアクセスポイントからキャリア割り当て情報を受信することができるキャリア構成コンポーネント２０２、該キャリア割り当て情報に基づいて１又は複数のデバイスと通信するためのキャリアを選択することができるキャリア選択コンポーネント２０４、及び、選択されたキャリアの上でデバイスへの送信及びからの受信を行うことができるキャリア通信コンポーネント２０６を含む。
【００３７】
無線デバイス１０６は、無線ネットワークにおいて通信するためのアクセスポイントにより利用されるキャリアを得るキャリア情報受信コンポーネント３０６、該キャリアの上で通信を評価することに基づいて通信すべきアクセスポイントを判定するアクセスポイント選択コンポーネント３０８、アクセスポイントにより割り当てられたキャリアの上での干渉を判定し、該干渉を該アクセスポイントにレポートすることができる干渉検出コンポーネント３１０、及び、１又は複数の提供されたキャリアの上でアクセスポイントと通信することができるキャリア通信コンポーネント３１２を含むことができる。
【００３８】
一つの例に従って、アクセスポイント１０２は、そのセル・カバレージエリアのためのキャリア構成を定義するマクロセル・アクセスポイントであることができる。この例において、構成管理コンポーネント３０２は、電力クラスに従ってアクセスポイントのためのキャリア割り当て情報を指定する構成を維持することができる。例えば、説明されるように、無線デバイス１０６がアンカー・キャリアの上で送信される信号を通してアクセスポイントを検出することができるように、キャリア割り当て情報は、様々な（varying）電力クラスのアクセスポイントのために予約されるアンカー・キャリア及び／又は追加的なキャリアを含むことができる。構成管理コンポーネント３０２は、例えば、ネットワーク仕様（network specification）、ハードコーディング（hardcoding）、無線ネットワークからのプロビジョニング（provisioning）、及び／又は、その他に基づいて、構成を維持することができる。キャリア割り当てコンポーネント３０４は、キャリア割り当て情報を、そのセル・カバレージエリア内のアクセスポイント（例えば、アクセスポイント１０４）に提供することができる。一つの例において、キャリア割り当てコンポーネント３０４は、バックホール・リンクの上で、無線で、１又は複数のネットワーク・コンポーネントを介して、モバイル・デバイスを使用して、及び／又は、その他により、アクセスポイント１０４に構成を送信することができる。
【００３９】
説明されるように、キャリア構成コンポーネント２０２は、アクセスポイント１０２又は他のネットワーク・コンポーネントからキャリア割り当て情報を受信することができ、キャリア選択コンポーネント２０４は、アクセスポイント１０４の電力クラス及びキャリア割り当て情報に基づいて、キャリアを選択することができる。アクセスポイント１０４のキャリア通信コンポーネント２０６は、該キャリアの上で１又は複数のデバイスと通信することができる。説明されるように、キャリア選択コンポーネント２０４は、ダウンリンク通信を送信するためにキャリア割り当て情報から選択されるキャリアを使用するが、アップリンク通信を受信するために実質的にすべてのキャリアから選択することができる。アクセスポイント１０２のキャリア選択コンポーネント２０４は、アクセスポイント１０２の通信コンポーネント２０６がキャリア割り当て情報及びアクセスポイント１０２の電力クラスに従ってその上で１又は複数のデバイスへの送信及びからの受信を行うことができるキャリアを、同様に選択することができる。
【００４０】
他の例では、キャリア割り当て情報は、利用可能なキャリアを、該キャリアの上で通信するために利用されることができる電力レベルの表示（indication）とともに、を含むことができる。この例では、キャリア割り当てコンポーネント３０４は、キャリア割り当て情報をアクセスポイント１０２及び１０４（及び／又はアクセスポイント１０２により提供されるセルのカバレージエリアの他のアクセスポイント）に提供することができる。キャリア選択コンポーネント２０４は、利用可能なキャリアを選択することができ、また、電力クラスに従ってキャリア割り当て情報中に指示される送信電力で送信することができる。それゆえ、例えば、該情報は、アクセスポイント１０４の電力クラスにおいてアクセスポイントに有意に（significantly）干渉しないために、アクセスポイント１０４の電力クラスを持つアクセスポイントは、キャリア２の上で全電力で（full power）送信することができるが、アクセスポイント１０２の電力クラスのアクセスポイントは、少量の電力だけを使用してキャリア２の上で送信することができることを、提供することができる。一つの例において、該情報に基づいて、アクセスポイント１０２は、アクセスポイント１０４のために指定される電力でキャリア２の上で送信することができる。それゆえ、この例では、アクセスポイント１０４がフェムトセルであり且つ該情報に従って全電力で送信することができる場合に、アクセスポイント１０２は同様に該キャリアの上で完全なフェムトセル電力で送信することができる。
【００４１】
この点については、例えば、制限のない電力（unrestricted power）を持つオープンアクセス共有キャリア（open access shared carriers）（それはマクロセルのためのアンカー・キャリアであることができる）、低い電力を持つオープンアクセス共有キャリア（それはフェムトセル又はピコセルのためのアンカー・キャリアであることができる）、低い電力を持つクローズドアクセスキャリア（closed access carriers）（それはクローズ加入者グループのセル（closed subscriber group cells）のためのアンカー・キャリアであることができる）及び／又はその他を含むために、構成管理コンポーネント３０２により生成又は受信される情報中において、キャリアがカテゴライズ（categorized）されることができる。説明されるように、キャリア通信コンポーネント２０６が適切な電力制約に従う限り、キャリア選択コンポーネント２０４は、それらのそれぞれのアクセスポイント１０２及び１０４のタイプに適用するキャリア及び／又は他のアクセスポイント・タイプのキャリアを使用して通信することができる。異なる電力クラスのアクセスポイント１０２及び１０４が電力クラスに従って割り当てられる異なるキャリアを使用できるようにすることは、より高い電力クラスにされる（higher power classed）アクセスポイント１０２からの干渉を軽減することによって、アクセスポイント１０４の範囲を拡張することができる。先に述べたように、より高い電力クラスにされるアクセスポイント１０２に電力制限を強制することは、より低い電力クラスにされる（lower power classed）アクセスポイント１０４のためのそのような範囲の拡張を更に容易にする。次に、これもまた、さらに本明細書で説明されるように、単にすべての電力クラスを含むセルの選択から最も高いＳＮＲを持つセルを選択するだけであることよりもむしろ、アクセスポイント選択コンポーネント３０８が、経路損失、セル負荷、バックホール負荷などに基づいて、セル（又は関係するアクセスポイント）を選択することを可能にする。
【００４２】
さらに、一つの例において、追加的なキャリアは、ある電力クラスのアクセスポイントに割り当てられることができる。これは、例えば、キャリア割り当て情報において定義されることができる。他の例では、アクセスポイント１０４は、（例えば、高いアクティビティー及び／又は低い資源アベイラビリティーに基づいて）その電力クラスのために追加的なキャリアを要求することができる。キャリア割り当てコンポーネント３０４は、追加的なキャリアをアクセスポイント１０４に割り当てることができる。そして、その追加的なキャリアは、アクセスポイント１０４のキャリア選択コンポーネント２０４が、キャリア通信コンポーネント２０６を介してダウンリンク制御データを送信するためのキャリアを選択するために利用することができる。他の例では、追加的なキャリアは、近隣のセルにおいてコンフリクトするキャリア割り当て（例えば、該割り当てが、マクロセル・アクセスポイントからアクセスポイント１０４への干渉をもたらす場合）に基づいて要求されることができる。
【００４３】
無線デバイス１０６は、無線ネットワークを移動（travel over）することができ、該無線ネットワークへのアクセスをそこから受信するアクセスポイントを探索することがでできる。キャリア情報受信コンポーネント３０６は、アクセスポイント（例えばアクセスポイント１０２及び１０４）がその上でパイロット信号又は他のシステム・アクセス情報を送信するキャリアを得ることができる。一つの例において、キャリア情報受信コンポーネント３０６は、特定の電力クラスにされる（certain power classed）アクセスポイントがその上で通信するキャリアを含むキャリア割り当て情報を受信することができる。説明されるように、これは異なる電力クラスにされた（disparate power classed）アクセスポイントのためのアンカー・キャリア割り当てを含むことができる。キャリア割り当て情報は、アクセスポイント１０２及び／又は１０４によって無線デバイス１０６へ送信されることができ、また、将来の構成（future configuration）に関係することができる。この例では、将来の構成は、構成が修正される移行期間を可能にするために、特定の時点で有効になることができる。一つの例において、アクセスポイント選択コンポーネント３０８は、将来の通信について、該キャリアの上で、最良の経路損失、セル負荷、バックホール負荷など（又はＳＮＲ）を持つ１又は複数のアクセスポイントを選択することができる。説明されるように、異なるキャリアの上でシステム・アクセス信号を送信する異なる電力クラスのアクセスポイントで、アクセスポイント選択コンポーネント３０８は、最良の経路損失又はＳＮＲを持つアクセスポイントを選択することができる。一旦、選択されたならば、説明されるように、アクセスポイントは、その電力クラスのために割り当てられた１又は複数のキャリアを使用して、少なくともダウンリンクの上で、通信することができる。
【００４４】
干渉検出コンポーネント３１０は、該キャリアの上でのアクセスポイントとの通信が異なる近隣のセルにおける異なるアクセスポイントにより干渉されるかどうか判定することができる。これは、例えば、それらセルが異なるキャリア割り当てスキームを有する場合に生じる可能性がある。例えば、アクセスポイント１０２により提供されるセルにおけるキャリア２は、低い電力のアクセスポイントのために予約されることができるが、近隣のセルにおけるマクロセルのアクセスポイントのために予約されることができる。例えば、無線デバイス１０６がアクセスポイント１０２により提供されるセルの外側の周辺部の近くでアクセスポイント１０４と通信する場合に、通信がキャリア２の上で干渉される可能性がある。この場合、干渉検出コンポーネント３１０は、干渉を認める（discern）ことができ、アクセスポイント１０４に干渉の表示を提供することができる。キャリア構成コンポーネント２０２は追加的なキャリアを要求することができ、それが既に一つを割り当てられていなかったならば、アクセスポイント１０４のキャリア選択コンポーネント２０４は、無線デバイス１０６と通信するための追加的なキャリアを選択することができる。この例では、キャリア通信コンポーネント３１２は、追加的なキャリアの上でアクセスポイント１０４と通信することができる。
【００４５】
他の例では、アクセスポイント１０４のキャリア選択コンポーネント２０４は、それがアクセスポイント１０２と干渉しない場合に（例えば、アクセスポイント１０４は低い電力のアクセスポイントであり且つ無線デバイス１０６が近い近くにある場合に）、マクロセル・アクセスポイント（例えばアクセスポイント１０２）に割り当てられる無線デバイス１０６と通信するためのキャリアを選択することができる。さらに、説明されるように、キャリア通信コンポーネント２０６は、この例では、アクセスポイント１０２に干渉することを避けるために、送信電力を低くさえ調整することができる。
【００４６】
さらに、アクセスポイント１０２及び１０４のキャリア選択コンポーネント２０４は、ダウンリンク通信のためのそれらの所定の電力クラスのためのキャリア割り当て情報のみに従って、無線デバイス１０６と通信するためのキャリアを選択することができ、そして、実質的にすべての利用可能なキャリアがアップリンク通信のために利用されることを可能にする。さらに、説明されるように、無線デバイス１０６が、増加したスループットのためにセル中でアクセスポイント１０２及びアクセスポイント１０４の両方と通信することができることは認識されるべきである。一つの例において、無線デバイス１０６は、アクセスポイント１０４へアップリンク・データを通信している間、アクセスポイント１０２とダウンリンクの上で通信することができる。
【００４７】
図４を参照して、電力クラスに従ってアクセスポイント通信のためのキャリアを指定するのを容易にする例示的な無線通信システム４００が説明される。システム４００は、アクセスポイント４０２から／への通信を受信及び送信するためのカバレージエリア４０４を提供するマクロセル・アクセスポイント４０２、及び、カバレージエリア４０４と交差するカバレージエリア４０８を実装するマクロセル・アクセスポイント４０６を含む。さらに、説明されるように、ピコセル・アクセスポイント４１０は、カバレージエリア４０８中に存在することができ、また、より低い送信電力を使用してより小さなカバレージエリア４１２を提供することができる。さらに、ピコセル・アクセスポイント４１０は、そのカバレージエリア４１２（それは同様にカバレージエリア４０８とオーバーラップする）の中に存在するモバイル・デバイス４１４と通信することができる。
【００４８】
説明されるように、マクロセル・アクセスポイント４０６は、そのカバレージエリア４０８のためのキャリア割り当てスキームを定義することができる−これは、一つの例において、１又は複数のネットワーク・コンポーネントから受信されることができる。例えば、マクロセル・アクセスポイント４０６は、キャリア１をマクロセル通信のために割り当て、キャリア２及び３をピコセル通信のために割り当てることができる。それゆえ、ピコセル・アクセスポイント４１０は、説明されるように、キャリア割り当て情報を受信することができ、また、キャリア２及び／又は３の上で、モバイル・デバイス４１４と通信することができる。マクロセル・アクセスポイント４０２は、しかし、そのカバレージエリア４０４のための異なるキャリア割り当てスキームを定義することができる。例えば、マクロセル・アクセスポイント４０２は、キャリア１及び３をマクロセル通信のために予約し、キャリア２をピコセル通信のために予約することができる。それゆえ、ピコセル・アクセスポイント４１０がキャリア３の上でモバイル・デバイス４１４と通信する場合に、それは、示されるように、キャリア３の上で通信するマクロセル・アクセスポイント４０２により干渉される可能性がある。この例において、追加的な干渉管理が実行されることができる。
【００４９】
一つの例に従って、前に説明されたように、モバイル・デバイス４１４は、マクロセル・アクセスポイント４０２からの干渉を、ピコセル・アクセスポイント４１０へレポートすることができ、そして、ピコセル・アクセスポイント４１０は、代わりにキャリア２の上での通信をスケジュールすることができる。さらに、この例において、モバイル・デバイス（例えばモバイル・デバイス４１４）は、潜在的なアクセスポイント（例えばピコセル・アクセスポイント）へ、実質的にすべての利用可能なキャリアについて（又は少なくとも該潜在的なアクセスポイントの電力クラスのためのキャリアについて）、干渉レベルをレポートすることができ、そして、該潜在的なアクセスポイントは、最小量のレポートされた干渉を持つキャリアの上での通信をスケジュールすることができる。他の例において、干渉を軽減するために、時間及び／又は周波数再利用が、ピコセル・アクセスポイント４１０及び／又はマクロセル・アクセスポイント４０２により利用されることができる。さらに他の例において、マクロセル・アクセスポイント４０２は、モバイル・デバイス４１４の通信にピコセル・アクセスポイント４１０が干渉しないために、キャリア上の送信電力を動的に又は準静的に（semi-statically）調整することができる（例えば、特定の時間資源について）。
【００５０】
図５を参照して、干渉を軽減するために割り当てられたキャリアを使用してネットワーク・デバイスの間で通信するのを容易にする例示的な無線通信システム５００が説明される。システム５００は、カバレージエリア５０４において無線ネットワーク・アクセスを提供するマクロセル・アクセスポイント５０２及びカバレージエリア５０８（それは部分的にカバレージエリア５０４の内部に存在する）において無線ネットワーク・アクセスを提供するピコセル・アクセスポイント５０６を含む。この点については、ピコセル・アクセスポイント５０６は、カバレージエリア５０４及び／又は関係する無線ネットワークの部分に関連するキャリア割り当て情報を受信することができる。一つの例において、前に説明されたように、キャリア割り当て情報は、マクロセル・アクセスポイント５０２、無線ネットワーク、ピコセル・アクセスポイント５０６、１又は複数のネットワーク・コンポーネント及び／又はその他により定義されることができる。例えば、キャリア割り当て情報は、キャリア１及び３がマクロセル通信のために割り当てられ、キャリア２がピコセル通信のために割り当てられることを指定することができる。
【００５１】
この例において、ピコセル・アクセスポイント５０６は、それへの無線ネットワーク・アクセスを提供するために、モバイル・デバイス５１０及び５１２と通信することができる。ピコセル・アクセスポイント５０６は、キャリア２の上でモバイル・デバイス５１０と通信することができる；モバイル・デバイス５１０は、キャリア１及び３の上で干渉を受信する可能性がある。一つの例において、しかし、モバイル・デバイス５１２は、ピコセル・アクセスポイント５０６に十分に近く且つマクロセル・アクセスポイント５０２から十分に遠くに離れており、それはキャリア１及び３の上でおそらく多くの干渉を経験しないであろうから、ピコセル・アクセスポイント５０６は、キャリア１又は３の上でモバイル・デバイス５１２と通信することができる。さらに、キャリア１及び３の上で近距離で通信するピコセル・アクセスポイント５０６は、マクロセル・アクセスポイント５０２の通信におそらく干渉しないであろう。これは、ピコセル・アクセスポイント５０６がマクロセル・アクセスポイント５０２の通信によりおそらく干渉されるであろうモバイル・デバイス５１０及び／又は他のデバイスのためにキャリア２の資源を保存（save）しておくことができるので、ピコセル・アクセスポイント５０６による効率的な資源利用を可能にする。
【００５２】
この例では、説明されるように、モバイル・デバイス５１２は、キャリア上でピコセル・アクセスポイント５０６及びマクロセル・アクセスポイント５０２に関係するＳＮＲをレポートすることができ、そして、それらＳＮＲが同様である場合に、ピコセル・アクセスポイント５０６は、マクロセル通信のために予約されたキャリアの上で通信することができる。ピコセル・アクセスポイント５０６は、この例では、ダウンリンク・キャリア１及び３をモニターするためにモバイル・デバイス５１２に通知するための専用の無線資源制御（ＲＲＣ）シグナリングを使用することができる。ピコセル・アクセスポイント５０６は、増加したスループットを提供するために、この点については、全３つのキャリアの上でモバイル・デバイス５１２と通信することができることは認識されるべきである。
【００５３】
図６を参照して、干渉を軽減するために割り当てられたキャリア及び電力制御を使用してネットワーク・デバイスの間で通信するのを容易にする例示的な無線通信システム６００が説明される。システム６００は、カバレージエリア６０４において無線ネットワーク・アクセスを提供するマクロセル・アクセスポイント６０２及びカバレージエリア６０８（それは部分的にカバレージエリア６０４の内部に存在する）において無線ネットワーク・アクセスを提供するピコセル・アクセスポイント６０６を含む。この点については、ピコセル・アクセスポイント６０６は、カバレージエリア６０４及び／又は関係する無線ネットワークの部分に関連するキャリア割り当て情報を受信することができる。一つの例において、前に説明されたように、キャリア割り当て情報は、マクロセル・アクセスポイント６０２、無線ネットワーク、ピコセル・アクセスポイント６０６、１又は複数のネットワーク・コンポーネント及び／又はその他により定義されることができる。キャリア割り当て情報はまた、電力制御情報を含むことができる。例えば、キャリア割り当て情報は、キャリア１及び３が高い電力のマクロセル通信及び／又は低い電力のピコセル通信に割り当てられ、キャリア２が高い電力のピコセル通信及び／又は低減された電力のマクロセル通信に割り当てられること指定することができる。
【００５４】
この例において、マクロセル・アクセスポイント６０２は、それへの無線ネットワーク・アクセスを提供するために、モバイル・デバイス６１２及び６１４と通信することができ、ピコセル・アクセスポイント６０６は、それへの無線ネットワーク・アクセスを提供するために、モバイル・デバイス６１０及び６１２と通信することができる。マクロセル・アクセスポイント６０２は、全電力又は高い電力を使用してキャリア１及び／又は３の上で、モバイル・デバイス６１２と通信することができる。モバイル・デバイス６１４は、ピコセル・アクセスポイント６０６からより遠くにあり且つマクロセル・アクセスポイント６０２の近くにあるので、マクロセル・アクセスポイント６０２は、ピコセル・アクセスポイント６０６の通信に干渉しないために、送信するために低い電力を使用してキャリア２の上でモバイル・デバイス６１４と通信することができる。モバイル・デバイス６１４は、キャリア２の上でピコセル・アクセスポイント６０６から低い干渉を経験することができ、これをマクロセル・アクセスポイント６０２にレポートすることができる。マクロセル・アクセスポイント６０２は、キャリア２の上で通信するべきかどうか、及び／又は、どの電力を使用するべきか、（該キャリア割り当て情報において指定されることができる最大電力を超えることなく）干渉のレベルに従って、判定することができる。
【００５５】
同様に、ピコセル・アクセスポイント６０６は、全電力を使用してキャリア２の上で、モバイル・デバイス６１０と通信することができる。モバイル・デバイス６１０は、キャリア１及び３の上で干渉を受信する可能性がある。一つの例において、しかし、モバイル・デバイス６１２が、ピコセル・アクセスポイント６０６に十分に近く且つマクロセル・アクセスポイント６０２から十分に遠くに離れており、それがキャリア１及び３の上でおそらく多くの干渉を経験しないであろうから、ピコセル・アクセスポイント６０６は、キャリア１又は３の上でモバイル・デバイス６１２と通信することができる。一つの例において、ピコセル・アクセスポイント６０６は、マクロセル・アクセスポイント６０２の通信に干渉しないために、低い電力を使用してキャリア１及び３の上で通信することができる。先に述べたのと同様に、ピコセル・アクセスポイント６０６は、キャリアについてモバイル・デバイス６１２によりレポートされる干渉情報に基づいて、キャリア１及び３の上で通信するべきかどうか（及び／又はキャリア上の通信で使用する電力レベル）について判定することができる。
【００５６】
さて、図７−８を参照して、本明細書で説明される様々な態様に従って実行されることができる手順が説明される。説明を簡単にする目的で、１又は複数の態様に従って、手順が一連の動作として図示され説明されるが、手順は、動作の順序により制限されるものではなく、いくつかの動作が、本明細書で図示され説明される順序とは異なる順序で及び／又は他の動作と同時に、発生しても良いことは、理解（understood）及び認識（appreciated）されるべきである。例えば、手順が、代わりに、例えば状態図（state diagram）のように、一連の相互に関連のある状態又はイベントとして、表現できるであろうことは、当業者は理解（understand）及び認識（appreciate）するであろう。さらに、１又は複数の態様に従う手順を実装するために、必ずしも説明されたすべての動作が要求されなくても良い。
【００５７】
図７を参照して、電力クラスに基づいて異なるキャリアの上でアクセスポイントから伝送を受信するための手順７００が説明される。７０２において、アクセスポイントに割り当てられるキャリアが、アクセスポイントの電力クラスに基づいて判定されることができる。これは、例えばセル中の１又は複数のアクセスポイントから受信されることができるキャリア割り当て情報に従って判定されることができる。７０４において、該キャリアの上でアクセスポイントから伝送が受信されることができる。一つの例において、経路損失は該伝送から判定されることができ、そして、説明されたように、該アクセスポイントは、他の電力クラスのアクセスポイントから干渉されないので、該アクセスポイントは、電力クラスにかかわりなく、該経路損失に基づいて、通信のために選択されることができる。７０６において、該アクセスポイントは、異なるキャリアの上で送信されることができる。それゆえ、本明細書で説明されるように、クロス・キャリア通信が提供され、例えば、アクセスポイントが、異なるキャリアの上で通信を受信する間、最適なＳＮＲを達成するために割り当てられたキャリアの上で通信することを可能にする。
【００５８】
図８を参照して、アクセスポイントの電力クラスに従って割り当てられたキャリアの上で通信するのを容易にする手順８００が説明される。８０２において、異なる電力クラスのアクセスポイントのためのキャリアを指定するキャリア割り当て情報が、受信されることができる。これは、電力クラスに専用の１又は複数のキャリアを含むことができ、例えば、セルを提供するアクセスポイントから生成又は受信されることができる。８０４において、該キャリア割り当て情報及び電力クラスに少なくとも部分的に基づいて、信号を送信するために、キャリアが選択されることができる。これは、説明されるように、アンカー・キャリア、又は、該電力クラスに割り当てられる１又は複数の異なるキャリアであることができる。８０６において、信号が、該キャリアの上で１又は複数のモバイル・デバイスへ送信されることができる。さらに、１又は複数のモバイル・デバイスがごく近隣にある場合に、選択されたキャリアは、異なる電力クラスに割り当てられることができる。説明されるように、一つの例において、異なる電力クラスのアクセスポイントに有意な干渉はもたらされないであろう場合に、異なる電力クラスのためのキャリアが使用されることができる。さらに、キャリア割り当て情報は、例えば、複数の電力クラスが異なる電力レベルの特定のキャリアを使用することができる場合に、電力クラスに従ってキャリアに関する信号強度情報を指定することができる。この例では、信号は該電力レベルに従って送信されることができる。
【００５９】
本明細書で説明される１又は複数の態様に従って、異なるアクセスポイント電力クラスのためのキャリアを選択又は判定すること及び／又はその他に関して推論がなされることができることは認識されるであろう。本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【００６０】
図９を参照して、アクセスポイント電力クラスに割り当てられるキャリアの上でアクセスポイントから信号を受信するシステム９００が説明される。例えば、システム９００は、基地局、モバイル・デバイス又は無線ネットワークへのアクセスを提供する他のデバイスの内部に少なくとも部分的に存在することができる。システム９００は、プロセッサ、ソフトウェア又はそれらの組み合せ（例えば、ファームウェア）により実装される機能を表す機能ブロックであることができる機能ブロックを含むものとして表されることは認識されるべきである。システム９００は、合同して動作することができる電気コンポーネントの論理グループ９０２を含む。例えば、論理グループ９０２は、キャリアとアクセスポイント電力クラス９０４との間の関連付けを指定するキャリア割り当て情報を得るための電気コンポーネントを含むことができる。例えば、説明されるように、キャリア割り当て情報は、異なる電力クラスのアクセスポイントが他の電力クラスにより干渉されることなくパイロット信号を送信できるようにする、電力クラスのためのアンカー・キャリアを含むことができる。さらに、論理グループ９０２は、キャリア割り当て情報及びアクセスポイント９０６の電力クラスに少なくとも部分的に基づいて判定されるアクセスポイントからの検出可能なアンカー・キャリアの上で信号を受信するための電気コンポーネントを含むことができる。
【００６１】
経路損失（又はＳＮＲ）は、例えば、通信のために該アクセスポイントを選択するかどうか判定するために、該信号から判定されることができる。この点については、論理グループ９０２は、該アクセスポイントに関係する経路損失を、共通セル中の異なる電力クラスの異なるアクセスポイントに関係する異なる経路損失と比較することに少なくとも部分的に基づいて、通信のために該アクセスポイントを選択するための電気コンポーネント９０８を含むことができる。それゆえ、電力クラスにかかわりなく、最良の経路損失又はＳＮＲを持つアクセスポイントが選択されることができる。さらに、論理グループ９０２は、１又は複数のキャリアの上で干渉を測定し、アクセスポイント９１０におけるキャリア選択を容易にするために、該干渉に関する情報を該アクセスポイントに送信するための電気コンポーネントを含むことができる。説明されるように、例えば、該キャリアが異なるキャリア割り当て情報を使用するセルにおける近隣のアクセスポイントから干渉される場合に、干渉を軽減するために、該アクセスポイントにより、異なるキャリアが選択されることができる。さらに、システム９００は、電気コンポーネント９０４，９０６，９０８及び９１０に関連する機能を実行するためのインストラクションを保持するメモリ９１２を含むことができる。メモリ９１２の外部に存在するものとして示されるが、電気コンポーネント９０４，９０６，９０８及び９１０のうちの１又は複数がメモリ９１２の内部に存在することができることは理解されるべきである。
【００６２】
図１０を参照して、アクセスポイント電力クラスに従って割り当てられたキャリアの上で通信するシステム１０００が説明される。例えば、システム１０００は、基地局、モバイル・デバイスなどの内部に少なくとも部分的に存在することができる。システム１０００は、プロセッサ、ソフトウェア又はそれらの組み合せ（例えば、ファームウェア）により実装される機能を表す機能ブロックであることができる機能ブロックを含むものとして表されることは認識されるべきである。システム１０００は、合同して動作することができる電気コンポーネントの論理グループ１００２を含む。例えば、論理グループ１００２は、キャリアをアクセスポイント電力クラスに関連付けるキャリア割り当て情報を受信するための電気コンポーネント１００４を含むことができる。この情報は、例えば、アクセスポイント又は他のネットワーク・コンポーネントにより生成及び／又は受信されることができる。さらに、論理グループ１００２は、キャリア割り当て情報及び電力クラスに少なくとも部分的に基づいて、送信するためのキャリアを選択するための電気コンポーネント１００６を含むことができる。説明されるように、一つの例において、電力クラスに関連するキャリアが選択されることができる。他の例では、しかし、該キャリア上で信号を受信しているデバイスに対する近接性に基づいて、異なる電力クラスに関係することができる異なるキャリアが選択されることができる。
【００６３】
さらに、論理グループ１００２は、該キャリアの上で１又は複数のデバイスに信号を送信するための電気コンポーネント１００８を含む。さらにまた、論理グループ１００２は、キャリア割り当て情報を、与えられたセルにおける１又は複数のアクセスポイントに提供するための電気コンポーネント１０１０を含むことができるまた。さらに、論理グループ１００２は、ネットワーク仕様又は受信された構成に基づいてキャリア割り当て情報を生成するための電気コンポーネント１０１２を含む。説明されるように、キャリア割り当て情報は、与えられたセルのために定義されることができ、該セル中に存在する様々なアクセスポイントに提供されることができる。さらに、システム１０００は、電気コンポーネント１００４，１００６，１００８，１０１０及び１０１２に関連する機能を実行するためのインストラクションを保持するメモリ１０１４を含むことができる。メモリ１０１４の外部に存在するものとして示されるが、電気コンポーネント１００４，１００６，１００８，１０１０及び１０１２のうちの１又は複数がメモリ１０１４の内部に存在することができることは理解されるべきである。
【００６４】
図１１は、本明細書で説明される機能性の様々な態様を実装するために利用されることができるシステム１１００のブロック図である。一つの例において、システム１１００は、基地局又はｅＮＢ １１０２を含む。図示されるように、ｅＮＢ １１０２は、１又は複数の受信（Ｒｘ）アンテナ１１０６を介して１又は複数のＵＥ１１０４から（１又は複数の）信号を受信することができ、また、１又は複数の送信（Ｔｘ）アンテナ１１０８を介して１又は複数のＵＥ１１０４に送信することができる。さらに、ｅＮＢ １１０２は、（１又は複数の）受信アンテナ１１０６から情報を受信する受信機１１１０を含むことができる。一つの例において、受信機１１１０は、受信された情報を復調する復調器（Ｄｅｍｏｄ）１１１２と有効に(動作可能なように、operatively）関連することができる。それから、復調された情報は、プロセッサ１１１４により解析されることができる。プロセッサ１１１４は、メモリ１１１６に接続されることができる。メモリ１１１６は、コード・クラスターに関係する情報、アクセス端末割り当て、それに関係するルックアップテーブル、固有スクランブリング・シーケンス、及び／又は他の適したタイプの情報を格納することができる。一つの例において、ｅＮＢ １１０２は、手順７００，８００及び／又は他の類似する適切な手順を実行するために、プロセッサ１１１４を使用することができる。ｅＮＢ １１０２はまた、（１又は複数の）送信アンテナ１１０８を通した送信機１１２０による送信のための信号を多重化することができる変調器１１１８を含むことができる。
【００６５】
図１２は、本明細書で説明される機能性の様々な態様を実装するために利用されることができる他のシステム１２００のブロック図である。一つの例において、システム１２００は、モバイル端末１２０２を含む。図示されるように、モバイル端末１２０２は、１又は複数の基地局１２０４から（１又は複数の）信号を受信することができ、また、１又は複数のアンテナ１２０８を介して１又は複数の基地局に１２０４を送信することができる。さらに、モバイル端末１２０２は、（１又は複数の）アンテナ１２０８から情報を受信する受信機１２１０を含むことができる。一つの例において、受信機１２１０は、受信された情報を復調する復調器（Ｄｅｍｏｄ）１２１２と有効に関連することができる。それから、復調された情報は、プロセッサ１２１４により解析されることができる。プロセッサ１２１４は、メモリ１２１６に接続することができる。メモリ１２１６は、モバイル端末１２０２に関係するデータ及び／又はプログラム・コードを格納することができる。さらに、モバイル端末１２０２は、手順７００，８００及び／又は他の類似する適切な手順を実行するために、プロセッサ１２１４を使用することができる。モバイル端末１２０２はまた、説明された機能性を実現するために前の図面において説明された１又は複数のコンポーネントを使用することができる。一つの例において、それらコンポーネントは、プロセッサ１２１４により実装されることができる。モバイル端末１２０２はまた、（１又は複数の）アンテナ１２０８を通した送信機１２２０による送信のための信号を多重化することができる変調器１２１８を含むことができる。
【００６６】
さて、図１３を参照して、様々な態様に従って無線マルチアクセス通信システムの説明図が提供される。一つの例において、アクセスポイント１３００（ＡＰ）は、複数のアンテナ・グループを含む。図１３中に示されるように、一つのアンテナ・グループは、アンテナ１３０４と１３０６を含むことができ、もう一つのアンテナ・グループは、アンテナ１３０８と１３１０を含むことができ、そして、もう一つのアンテナ・グループは、アンテナ１３１２と１３１４を含むことができる。図１３では各々のアンテナ・グループについて２つのアンテナだけが示されるが、各々のアンテナ・グループについて、より多くのアンテナが使用されても良く、より少ないアンテナが使用されても良いことは、認識されるべきである。他の例において、アクセス端末１３１６は、アンテナ１３１２及び１３１４と通信することが可能である。ここで、アンテナ１３１２及び１３１４は、順方向リンク１３２０上でアクセス端末１３１６に情報を送信し、逆方向リンク１３１８上でアクセス端末１３１６から情報を受信する。加えて及び／又は代わりに、アクセス端末１３２２は、アンテナ１３０６及び１３０８通信することが可能である。ここで、アンテナ１３０６及び１３０８は、順方向リンク１３２６上でアクセス端末１３２２に情報を送信し、逆方向リンク１３２４上でアクセス端末１３２２から情報を受信する。周波数分割双方向システムにおいて、通信リンク１３１８，１３２０，１３２４及び１７３６は、通信のために異なる周波数を使用することができる。例えば、順方向リンク１３２０は、逆方向リンク１３１８により使用される周波数とは異なる周波数を使用しても良い。
【００６７】
各々のアンテナ・グループ及び／又はそれらが通信するようにデザインされているエリアは、アクセスポイントのセクターと呼ばれることができる。一つの態様に従って、アンテナ・グループは、アクセスポイント１３００によりカバーされるエリアのセクターにおいてアクセス端末に通信するようにデザインされることができる。順方向リンク１３２０及び１３２６上の通信において、アクセスポイント１３００の送信アンテナは、異なるアクセス端末１３１７及び１３２２に関する順方向リンクの信号対雑音比を改善するために、ビームフォーミングを利用することができる。また、そのカバレージ全体にわたってランダムに散在するアクセス端末に送信するためにビームフォーミングを使用するアクセスポイントは、すべてのそのアクセス端末にシングルアンテナを通して送信するアクセスポイントに比べて、近隣のセル中のアクセス端末に対して、より少ない干渉をもたらす。
【００６８】
アクセスポイント（例えば、アクセスポイント１３００）は、端末と通信するために使用される固定局であることができる。アクセスポイントはまた、基地局、ｅＮＢ、アクセスネットワークと呼ばれることができ、及び／又は、他の適した用語で呼ばれることができる。さらに、アクセス端末（例えば、アクセス端末１３１６又は１３２２）はまた、モバイル端末、ユーザ装置、無線通信デバイス、端末、無線端末と呼ばれることができ、及び／又は、他の適切な用語で呼ばれることができる。
【００６９】
さて、図１４を参照して、本明細書で説明される様々な態様が機能することができる例示的な無線通信システム１４００を示すブロック図が提供される。一つの例において、システム１４００は、送信機システム１４１０及び受信機システム１４５０を含む多重入力多重出力（ＭＩＭＯ）システムである。しかし、送信機システム１４１０及び／又は受信機システム１４５０はまた、多重入力単一出力システム（例えば、（例えば、基地局上の）複数の送信アンテナが、シングルアンテナのデバイス（例えば、モバイル局）に対して、１又は複数のシンボル・ストリームを送信することができる。）に適用できるであろうことは認識されるべきである。さらに、本明細書で説明される送信機システム１４１０及び／又は受信機システム１４５０の態様が、単一入力単一出力アンテナ・システムとともに利用できるであろうことは理解されるべきである。
【００７０】
一つの態様に従って、幾つかのデータストリームのためのトラフィック・データは、送信機システム１４１０において、データソース１４１２から送信（ＴＸ）データプロセッサ１４１４に提供される。一つの例において、それから、各々のデータストリームは、それぞれの送信アンテナ１４２４を介して送信されることができる。さらに、ＴＸデータプロセッサ１４１４は、符号化されたデータを提供するために、それぞれのデータストリームごとに選択された特定の符号化スキームに基づいて、各々のデータストリームのためのトラフィック・データを、フォーマットし、符号化し、インターリーブすることができる。一つの例において、それから、各々のデータストリームのための符号化されたデータは、ＯＦＤＭ技術を使用して、パイロット・データとともに多重化されることができる。パイロット・データは、例えば、既知の方法で処理される既知のデータ・パターンであることができる。さらに、パイロット・データは、チャネル・レスポンスを推定するために、受信機システム１４５０において使用されることができる。送信機システム１４１０に戻って、各々のデータストリームのための多重化されたパイロット及び符号化データは、変調シンボルを提供するために、それぞれのデータストリームごとに選択された特定の変調スキーム（例えば、ＢＰＳＫ、ＱＳＰＫ、Ｍ−ＰＳＫ又はＭ−ＱＡＭ）に基づいて、変調（すなわち、シンボルマッピング）されることができる。一つの例において、各々のデータストリームのためのデータレート、符号化及び変調は、プロセッサ１４３０により実行及び／又は提供されてインストラクションにより判定されることができる。
【００７１】
次に、すべてのデータストリームのための変調シンボルは、ＴＸプロセッサ１４２０に対して提供されることができる。ＴＸプロセッサ１４２０は、変調シンボルを更に処理することができる（例えば、ＯＦＤＭについて）。それから、ＴＸ ＭＩＭＯプロセッサ１４２０は、ＮＴ個の変調シンボル・ストリームをＮＴ個の送受信機１４２２ａ〜１４２２ｔに提供することができる。一つの例において、各々の送受信機１４２２は、１又は複数のアナログ信号を提供するために、それぞれのシンボル・ストリームを受信及び処理することができる。それから、各々の送受信機１４２２は、更に、ＭＩＭＯチャネル上の伝送に適した変調信号を提供するために、アナログ信号を調整（例えば、増幅、フィルタリング及びアップコンバート）することができる。したがって、それから、送受信機１４２２ａ〜１４２２ｔからのＮＴ個の変調信号は、それぞれ、ＮＴ個のアンテナ１４２４ａ〜１４２４ｔから送信されることができる。
【００７２】
他の態様に従って、送信された変調信号は、受信機システム１４５０において、ＮＲ個のアンテナ１４５２ａ〜１４５２ｒにより受信されることができる。それから、各々のアンテナ１４５２からの受信信号は、それぞれの送受信機１４５４に提供されることができる。一つの例において、各々の送受信機１４５４は、それぞれの受信信号を、調整（例えば、フィルタリング、増幅及びダウンコンバート）し、サンプルを提供するために、該調整された信号をデジタイズし、そして、対応する“受信（received）”シンボル・ストリームを提供するために、該サンプルを処理することができる。それから、ＲＸ ＭＩＭＯ／データプロセッサ１４６０は、ＮＴ個の“検出（detected）”シンボル・ストリームを提供するために、特定の受信機処理技術に基づいて、ＮＲ個の送受信機１４５４からＮＲ個の受信シンボル・ストリームを受信及び処理することができる。一つの例において、各々の検出シンボル・ストリームは、対応するデータストリームのために送信される変調シンボルの推定であるシンボルを含むことができる。それから、ＲＸ ＭＩＭＯ／データプロセッサ１４６０は、対応するデータストリームのためのトラフィック・データをリカバーするために、各々の検出シンボル・ストリームを復調し、デインターリーブし、復号化することに、少なくとも部分的によって、各々のシンボル・ストリームを処理することができる。それゆえ、ＲＸ ＭＩＭＯ／データプロセッサ１４６０による処理は、送信機システム１４１０におけるＴＸ ＭＩＭＯプロセッサ１４２０及びＴＸデータプロセッサ１４１８により実行される処理と相補的であることができる。ＲＸ ＭＩＭＯ／データプロセッサ１４６０は、更に、処理されたシンボル・ストリームを、データシンク１４６４に提供することができる。  
一つの態様に従って、ＲＸ ＭＩＭＯ／データプロセッサ１４６０により生成されるチャネル・レスポンス推定は、受信機における空間／時間処理の実行、電力レベルの調整、変調レート又はスキームの変更、及び／又は他の適切なアクションのために使用されることができる。さらに、ＲＸ ＭＩＭＯ／データプロセッサ１４６０は、更に、チャネル特性（例えば、検出シンボル・ストリームの雑音対信号干渉比（ＳＮＲ））を推定することができる。それから、ＲＸ ＭＩＭＯ／データプロセッサ１４６０は、推定されたチャネル特性を、プロセッサ１４７０に提供することができる。一つの例において、ＲＸ ＭＩＭＯ／データプロセッサ１４６０及び／又はプロセッサ１４７０は、更に、システムのための“動作（operating）”ＳＮＲの推定を導くことができる。それから、プロセッサ１４７０は、チャネル状態情報（ＣＳＩ）を提供することができる。チャネル状態情報（ＣＳＩ）は、通信リンク及び／又は受信データストリームに関する情報を含むことができる。この情報は、例えば、動作ＳＮＲを含むことができる。それから、ＣＳＩは、ＴＸデータプロセッサ１４１８により処理され、変調器１４８０により変調され、送受信機１４５４ａ〜１４５４ｒにより調整され、そして、もとの送信機システム１４１０へ送信されることができる。その上、受信機システム１４５０のデータソース１４１６は、ＴＸデータプロセッサ１４１８により処理されるべき更なるデータを提供することができる。
【００７３】
送信機システム１４１０に戻って、次に、受信機システム１４５０からの変調信号は、アンテナ１４２４により受信され、送受信機１４２２により調整され、復調器１４４０により復調され、受信機システム１４５０によりレポートされるＣＳＩをリカバーするために、ＲＸデータプロセッサ１４４２により処理されることができる。一つの例において、それから、レポートされたＣＳＩは、プロセッサ１８３０に提供され、１又は複数のデータストリームのために使用される符号化及び変調スキームだけでなくデータレートを判定するために、使用されることができる。それから、判定された符号化及び変調スキームは、量子化及び／又は受信機システム１４５０への後の伝送における使用のために、送受信機１４２２に提供されることができる。加えて及び／又は代わりに、レポートされたＣＳＩは、ＴＸデータプロセッサ１４１４及びＴＸ ＭＩＭＯプロセッサ１４２０のために様々な制御を生成するために、プロセッサ１４３０により使用されることができる。他の例において、ＲＸデータプロセッサ１４４２により処理されるＣＳＩ及び／又は他の情報は、データシンク１４４４に提供されることができる。
【００７４】
一つの例において、送信機システム１４１０におけるプロセッサ１４３０及び受信機システム１４５０におけるプロセッサ１４７０は、それらのそれぞれのシステムにおけるオペレーションを指示する。その上、送信機システム１４１０におけるメモリ１４３２及び受信機システム１４５０におけるメモリ１４７２は、それぞれ、プロセッサ１４３０及び１４７０により使用されるプログラム・コード及びデータのためのストレージを提供することができる。さらに、受信機システム１４５０において、ＮＴ個の送信されたシンボル・ストリームを検出するためにＮＲ個の受信信号を処理するために様々な処理技術が使用されることができる。これらの受信機処理技術は、空間及び時空間の受信機処理技術（それは、イコライゼイション技術とも呼ばれる）、及び／又は、“連続ヌリング／イコライゼイション及び干渉除去（successive nulling/equalization and interference cancellation）”受信機処理技術（それは、“連続干渉除去（successive interference cancellation）”又は“連続除去（successive cancellation）”受信機処理技術とも呼ばれる）を含むことができる。
【００７５】
さて、図１５を参照して、幾つかのモバイル・デバイスをサポートするように構成される無線通信システム１５００が説明される。システム１５００は、通信を複数のセル（例えば、マクロセル１５０２Ａ〜１５０２Ｇ）に提供する。ここで、各々のセルは、対応するアクセスポイント１５０４Ａ〜１５０４Ｇによりサービスされる。以に説明されたように、例えば、マクロセル１５０２Ａ〜１５０２Ｇに関係するアクセスポイント１５０４Ａ〜１５０４Ｇは、基地局であることができる。モバイル・デバイス１５０６Ａ〜１５０６Ｉは、無線通信システム１５００にわたって様々な位置に分散して示される。説明されるように、各々のモバイル・デバイス１５０６Ａ〜１５０６Ｉは、順方向リンク及び／又は逆方向リンク上で、１又は複数のアクセスポイント１５０４Ａ〜１５０４Ｇと通信することができる。さらに、アクセスポイント１５０８Ａ〜１５０８Ｃが示される。説明されるように、これらは、特定のサービス位置に関係するサービスを提供するより小規模のアクセスポイント（例えば、フェムトセル、ピコセル、リレー・ノードなど）であることができる。モバイル・デバイス１５０６Ａ〜１５０６Ｉは、提供されるサービスを受けるために、これらのより小規模のアクセスポイント１５０８Ａ〜１５０８Ｃと更に通信することができる。一つの例において、無線通信システム１５００は、大きな地理的エリアにわたってサービスを提供することができる（例えば、説明されるように、マクロセル１５０２Ａ〜１５０２Ｇは、近隣における２〜３ブロックをカバーすることができ、フェムトセル・アクセスポイント１５０８Ａ〜１５０８Ｃは、住居、オフィスビル及び／又はその他のようなエリアにおいて存在することができる）。一つの例において、モバイル・デバイス１５０６Ａ１５０６Ｉは、無線で及び／又はバックホール・コネクション上で、アクセスポイント１５０４Ａ〜１５０４Ｇ及び／又は１５０８Ａ〜１５０８Ｃとのコネクションを確立することができる。
【００７６】
さらに、示されるように、モバイル・デバイス１５０６Ａ〜１５０６Ｉは、システム１５００にわたって移動することができ、また、それが異なるマクロセル１５０２Ａ〜１５０２Ｇ又はフェムトセルのカバレージエリアを通して動くにつれて、様々なアクセスポイント１５０４Ａ〜１５０４Ｇ及び／又は１５０８Ａ〜１５０８Ｃへ通信をハンドオーバすることができる（又はそれらアクセスポイントに関係するセルを再選択する）。一つの例において、１又は複数のモバイル・デバイス１５０６Ａ〜１５０６Ｉは、フェムトセル・アクセスポイント１５０８Ａ〜１５０８Ｃのうちの少なくとも一つに関係するホーム・フェムトセルに関連付けられることができる。例えば、モバイル・デバイス１５０６Ｉは、そのホーム・フェムトセル（例えばホームｅＮＢ（home eNB））として、フェムトセル・アクセスポイント１５０８Ｂに関連付けられることができる。それゆえ、モバイル・デバイス１５０６Ｉがマクロセル１５０２Ｂ中に存在し、そして、それゆえ、アクセスポイント１５０４Ｂのカバレージエリア中に存在するが、それは、アクセスポイント１５０４Ｂの代わりに（又はこれに加えて）、フェムトセル・アクセスポイント１５０８Ｂと通信することができる。一つの例において、フェムトセル・アクセスポイント１５０８Ｂは、例えば望ましいビリング又はチャージ、分単位の利用、強化されたサービス（例えば、より高速なブロードバンド・アクセス、メディア・サービスなど）のような更なるサービスをモバイル・デバイス１５０６Ｉに提供することができる。幾つかのフェムトセル・アクセスポイント１５０８Ａ〜１５０８Ｃは、（例えば、ブランド、サービス、バンド幅能力、ユーザ・プロフィール及び／又はその他に基づいて）特定のモバイル・デバイス・コネクションのみを可能にするクローズ加入者グループのアクセスポイント（closed subscriber group access points）であることができる。
【００７７】
本明細書で説明される態様が、ハードウェア、ソフトウェア、ファームウェア、ミドルウェア、マイクロコード、又はそれらの任意の組合せにより実装されることができることは理解されることができる。本システム及び／又は方法がソフトウェア、ファームウェア、ミドルウェア又はマイクロコード、プログラム・コード又はコード・セグメントで実装される場合、それらは、例えばストレージコンポーネントのような機械読み取り可能な媒体に記憶されることができる。コード・セグメントは、手続き、関数、サブプログラム、プログラム、ルーチン、サブルーチン、モジュール、ソフトウェア・パッケージ、クラスを表すことができ、又は、インストラクション、データ構造若しくはプログラム・ステートメントの任意の組合せを表すことができる。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適切な手段を用いて、パス、フォワード又は送信されることができる。
【００７８】
ソフトウェア実装については、本明細書で説明される技術は、本明細書で説明される機能を実行するモジュール（例えば、手続き、関数、その他）で実装されることができる。ソフトウェア・コードは、メモリ・ユニットに記憶されて、プロセッサにより実行されることができる。メモリ・ユニットは、プロセッサの内部又は外部に実装されることが可能であり、その場合には、それは、当該技術分野において知られている様々な手段を通じて該プロセッサに通信で接続されることができる。
【００７９】
上に説明されたことは、一つ又は複数の態様の例を含む。前述の態様を説明することを目的としてコンポーネント又は手順の考えられる組み合わせをすべて説明することはもちろん可能ではないが、様々な態様の多数のさらなる組み合わせ又は置換が可能であることを当業者は認識できる。したがって、説明された態様は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。さらに、詳細な説明又は特許請求の範囲で用いられる語句“又は（or）”は、“非排他的な、又は（non-exclusive or）”であることを意図されている。
【図１】
2014143703.tif 000003
【図２】
2014143703.tif 000004
【図３】
2014143703.tif 000005
【図４】
2014143703.tif 000006
【図５】
2014143703.tif 000007
【図６】
2014143703.tif 000008
【図７】
2014143703.tif 000009
【図８】
2014143703.tif 000010
【図９】
2014143703.tif 000011
【図１０】
2014143703.tif 000012
【図１１】
2014143703.tif 000013
【図１２】
2014143703.tif 000014
【図１３】
2014143703.tif 000015
【図１４】
2014143703.tif 000016
【図１５】
2014143703.tif 000017
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
複数のアクセスポイント電力クラスのうちの少なくともサブセットの各々のために予約されるキャリアを指定するキャリア割り当て情報を受信することと、
前記キャリア割り当て情報及び電力クラスに少なくとも部分的に基づいて、無線ネットワーク中で信号を送信するためのキャリアを選択することと、
前記キャリアの上で１又は複数のモバイル・デバイスに信号を送信することを含む方法。
【請求項２】
前記キャリア割り当て情報を受信することは、マクロセル・アクセスポイントから前記キャリア割り当て情報を受信することを含む請求項１の方法。
【請求項３】
前記１又は複数のモバイル・デバイスの近接性を判定することを更に含み、
前記キャリアは、異なる電力のクラスに関係し、前記１又は複数のモバイル・デバイスの前記近接性に少なくとも部分的に基づいて選択される請求項１の方法。
【請求項４】
１又は複数の異なるキャリアの上で前記１又は複数のモバイル・デバイスから信号を受信することを更に含み、
前記キャリアは、アンカー・キャリアであり、前記信号は、前記アンカー・キャリアの上で送信される制御信号である請求項１の方法。
【請求項５】
前記キャリア割り当て情報は、マクロセル・アクセスポイント電力クラスのための制限の無い電力を持つオープンアクセス共有キャリア、フェムトセル又はピコセル・アクセスポイント電力クラスのための低い電力を持つオープンアクセス共有キャリア、及び、クローズドサブスクライバーグループ・アクセスポイント電力クラスのための低い電力を持つクローズドアクセスキャリアを指定する請求項１の方法。
【請求項６】
前記１又は複数のモバイル・デバイスから干渉情報を受信することを更に含み、
前記キャリアは、前記干渉情報に少なくとも部分的に基づいて、複数のキャリアから選択される請求項１の方法。
【請求項７】
前記キャリア割り当て情報に少なくとも部分的に基づいて、前記信号を送信するための電力を判定することを更に含む請求項１の方法。
【請求項８】
前記キャリア割り当て情報を、提供されたセル中の１又は複数のアクセスポイントに送信することを更に含む請求項１の方法。
【請求項９】
ネットワーク仕様又は受信された構成に基づいて、前記キャリア割り当て情報を生成することを更に含む請求項８の方法。
【請求項１０】
複数のアクセスポイント電力クラスのうちの少なくともサブセットの各々のために予約される、複数の異なる検出可能なアンカー・キャリアを指定するキャリア割り当て情報を受信し、
前記キャリア割り当て情報及び電力クラスに少なくとも部分的に基づいて、無線ネットワークにおいて通信するためのキャリアを選択し、
前記キャリアの上で１又は複数のモバイル・デバイスに信号を送信するように構成された少なくとも一つのプロセッサと、
前記少なくとも一つのプロセッサに接続されたメモリとを含む無線通信装置。
【請求項１１】
前記少なくとも一つのプロセッサは、マクロセル・アクセスポイントから前記キャリア割り当て情報を受信する請求項１０の無線通信装置。
【請求項１２】
前記キャリアは、前記キャリア割り当て情報に従って異なる電力クラスに関連付けられ、
前記少なくとも一つのプロセッサは、前記キャリアの上で信号を送信するために電力を前記異なる電力クラスのそれに低減するように更に構成される請求項１０の無線通信装置。
【請求項１３】
前記無線通信装置は、マクロセル・アクセスポイントの少なくとも一部分である請求項１０の無線通信装置。
【請求項１４】
複数のアクセスポイント電力クラスのうちの少なくともサブセットの各々のために予約される、複数の異なる検出可能なアンカー・キャリアを指定するキャリア割り当て情報を受信するための手段と、
前記キャリア割り当て情報及び電力クラスに少なくとも部分的に基づいて送信するためのキャリアを選択するための手段と、
前記キャリアの上で１又は複数のモバイル・デバイスに信号を送信するための手段とを含む装置。
【請求項１５】
前記キャリア割り当て情報を受信するための手段は、マクロセル・アクセスポイントから前記キャリア割り当て情報を受信する請求項１４の装置。
【請求項１６】
前記キャリアを選択するための手段は、前記１又は複数のモバイル・デバイスの近接性を取得し、前記１又は複数のモバイル・デバイスの前記近接性に少なくとも部分的に基づいて異なる電力のクラスに関係する前記キャリアを選択する請求項１４の装置。
【請求項１７】
前記信号を送信するための前記手段は、１又は複数の異なるキャリアの上で前記１又は複数のモバイル・デバイスから信号を受信することを更に含み、
前記キャリアは、アンカー・キャリアであり、前記信号は、前記アンカー・キャリアの上で送信される制御データ信号である請求項１４の装置。
【請求項１８】
少なくとも一つのコンピュータに、複数のアクセスポイント電力クラスのうちの少なくともサブセットの各々のために予約される、複数の異なる検出可能なアンカー・キャリアを指定するキャリア割り当て情報を受信させるためのコードと、
前記少なくとも一つのコンピュータに、前記キャリア割り当て情報及び電力クラスに少なくとも部分的に基づいて、無線ネットワーク中で信号を送信するためのキャリアを選択させるためのコードと、
前記キャリアの上で１又は複数のモバイル・デバイスに信号を送信させるためのコードとを含むコンピュータ・プログラム。
【請求項１９】
前記少なくとも一つのコンピュータに前記キャリア割り当て情報を受信させるための前記コードは、マクロセル・アクセスポイントから前記キャリア割り当て情報を受信する請求項１８のコンピュータ・プログラム。
【請求項２０】
前記コンピュータ・プログラムは、前記少なくとも一つのコンピュータに、前記１又は複数のモバイル・デバイスの近接性を判定させるためのコードを更に含み、
前記キャリアは、異なる電力のクラスに関係し、前記１又は複数のモバイル・デバイスの前記近接性に少なくとも部分的に基づいて選択される請求項１８のコンピュータ・プログラム。
【請求項２１】
前記コンピュータ・プログラムは、前記少なくとも一つのコンピュータに、１又は複数の異なるキャリアの上で前記１又は複数のモバイル・デバイスから信号を受信させるためのコードを更に含み、
前記キャリアは、アンカー・キャリアであり、前記信号は、前記アンカー・キャリアの上で送信される制御信号である請求項１８のコンピュータ・プログラム。
【請求項２２】
複数のアクセスポイント電力クラスのうちの少なくともサブセットの各々のために予約される、複数の異なる検出可能なアンカー・キャリアを指定するキャリア割り当て情報を受信するキャリア構成コンポーネントと、
前記キャリア割り当て情報及び電力クラスに少なくとも部分的に基づいて送信するためのキャリアを選択するキャリア選択コンポーネントと、
前記キャリアの上で１又は複数のモバイル・デバイスに信号を送信するキャリア通信コンポーネントとを含む装置。
【請求項２３】
前記キャリア構成コンポーネントは、マクロセル・アクセスポイントから前記キャリア割り当て情報を受信する請求項２２の装置。
【請求項２４】
前記キャリア選択コンポーネントは、前記１又は複数のモバイル・デバイスの近接性を取得し、前記１又は複数のモバイル・デバイスの前記近接性に少なくとも部分的に基づいて異なる電力のクラスに関係するキャリアを選択する請求項２２の装置。
【請求項２５】
前記キャリア通信コンポーネントは、１又は複数の異なるキャリアの上で前記１又は複数のモバイル・デバイスから信号を受信し、
前記キャリアは、アンカー・キャリアであり、前記信号は、前記アンカー・キャリアの上で送信される制御データ信号である請求項２２の装置。
【手続補正２】
【補正対象書類名】明細書
【補正対象項目名】００７９
【補正方法】変更
【補正の内容】
【００７９】
上に説明されたことは、一つ又は複数の態様の例を含む。前述の態様を説明することを目的としてコンポーネント又は手順の考えられる組み合わせをすべて説明することはもちろん可能ではないが、様々な態様の多数のさらなる組み合わせ又は置換が可能であることを当業者は認識できる。したがって、説明された態様は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。さらに、詳細な説明又は特許請求の範囲で用いられる語句“又は（or）”は、“非排他的な、又は（non-exclusive or）”であることを意図されている。 
以下に、本願出願の当初の特許請求の範囲に記載された各請求項に対応する発明を付記する。 
［１］ある電力クラスのアクセスポイントに割り当てられる検出可能なアンカー・キャリアを判定することと、 
前記検出可能なアンカー・キャリアの上で前記電力クラスのアクセスポイントから伝送を受信することを含む方法。 
［２］異なるキャリアの上で前記アクセスポイントに送信することを更に含み、 
前記検出可能なアンカー・キャリアの上で前記アクセスポイントから受信される前記伝送は、制御データ伝送である［１］の方法。 
［３］前記アクセスポイントから前記伝送を前記受信することは、異なる電力クラスを有する異なるアクセスポイントとカバレージエリアがオーバーラップする前記アクセスポイントから前記伝送を受信することを含み、 
前記異なるアクセスポイントは、前記異なる電力クラスに少なくとも部分的に基づいて１又は複数の異なるキャリアの上で通信する［１］の方法。 
［４］前記伝送を受信することは、前記アクセスポイントの前記電力クラスに少なくとも部分的に基づいて低い電力レベルで前記アクセスポイントから前記伝送を受信することを含む［３］の方法。 
［５］前記伝送を前記受信することは、ピコセル又はフェムトセル・アクセスポイントから前記伝送を受信することを含み、 
前記異なるアクセスポイントは、マクロセル・アクセスポイントである［３］の方法。
［６］１又は複数の異なるキャリアのうちの少なくとも一つは、前記異なるアクセスポイントのためのアンカー・キャリアである［３］の方法。 
［７］前記アクセスポイント及び前記異なるアクセスポイントに関連する経路損失、セル負荷又はバックホール負荷に少なくとも部分的に基づいて、前記異なるアクセスポイントの上での通信のための前記アクセスポイントを選択することを更に含む［３］の方法。
［８］前記電力クラスのアクセスポイントに追加的に割り当てられる異なるキャリアの上で前記アクセスポイントから異なる伝送を受信することを更に含む［１］の方法。 
［９］１又は複数の異なるキャリアに関係する干渉情報を前記アクセスポイントに送信することを更に含み、 
前記検出されたアンカー・キャリアは、前記干渉情報に基づく前記アクセスポイントからのキャリア割り当てを受信することに基づいて判定される［１］の方法。 
［１０］複数の検出可能なアンカー・キャリアと複数のアクセスポイント電力クラスとの間の関連付けを示すキャリア割り当て情報を取得し、 
ある電力クラスのアクセスポイントからあるアンカー・キャリア（該アンカー・キャリアは、前記キャリア割り当て情報に従って前記電力クラスに関連付けられる）の上で信号を受信するように構成された少なくとも一つのプロセッサと、 
前記少なくとも一つのプロセッサに接続されたメモリとを含む無線通信装置。 
［１１］前記少なくとも一つのプロセッサは、異なるキャリアの上でアクセスポイントにアップリンク信号を送信するように更に構成され、 
前記アンカー・キャリアの上で受信される信号は、制御データ信号である［１０］の無線通信装置。 
［１２］少なくとも一つのプロセッサは、前記キャリア割り当て情報に従って異なる電力クラスに関連する異なるキャリアの上で前記アクセスポイントから低減された電力で異なる信号を受信するように更に構成された［１０］の無線通信装置。 
［１３］前記アクセスポイントは、マクロセル・アクセスポイントである［１２］の無線通信装置。 
［１４］複数のキャリアと複数のアクセスポイント電力クラスとの間の関連付けを指定するキャリア割り当て情報を取得するための手段と、 
前記キャリア割り当て情報及びアクセスポイントの電力クラスに少なくとも部分的に基づいて判定された該アクセスポイントからの検出可能なアンカー・キャリアの上で信号を受信するための手段とを含む装置。 
［１５］前記信号を受信するための前記手段は、異なるキャリアの上で前記アクセスポイントに異なる信号を送信し、 
前記検出可能なアンカー・キャリアの上で受信される信号は、制御データ信号である［１４］の装置。 
［１６］前記信号を受信するための手段は、低減された電力で前記信号を受信し、 
前記検出可能なアンカー・キャリアは、前記キャリア割り当て情報に従って異なる電力クラスのアクセスポイントに関連付けられる［１４］の装置。 
［１７］前記アクセスポイントは、マクロセル・アクセスポイントである［１６］の装置。 
［１８］少なくとも一つのコンピュータに、ある電力クラスのアクセスポイントに割り当てられる検出可能なアンカー・キャリアを判定させるためのコードと、 
前記少なくとも一つのコンピュータに、前記検出可能なアンカー・キャリアの上で前記電力クラスのアクセスポイントから伝送を受信させるためのコードとを含むコンピュータ読み取り可能な媒体含むコンピュータ・プログラム製品。 
［１９］前記コンピュータ読み取り可能な媒体は、前記少なくとも一つのコンピュータに、異なるキャリアの上で前記アクセスポイントに送信させるためのコードを更に含み、
前記検出可能なアンカー・キャリアの上で前記アクセスポイントから受信される前記伝送は、制御データ伝送である［１８］のコンピュータ・プログラム製品。 
［２０］前記アクセスポイントは、異なる電力クラスを有する異なるアクセスポイントとカバレージエリアがオーバーラップし、 
前記異なるアクセスポイントは、前記異なる電力クラスに少なくとも部分的に基づいて１又は複数の異なるキャリアの上で通信する［１８］のコンピュータ・プログラム製品。
［２１］前記コンピュータ読み取り可能な媒体は、前記少なくとも一つのコンピュータに、前記伝送を受信させるためのコードは、前記アクセスポイントの前記電力クラス及び前記検出可能なアンカー・キャリアに少なくとも部分的に基づいて低い電力レベルで前記アクセスポイントから前記伝送を受信する［２０］のコンピュータ・プログラム製品。 
［２２］複数のキャリアと複数のアクセスポイント電力クラスとの間の関連付けを指定するキャリア割り当て情報を取得するキャリア情報受信コンポーネントと、 
前記キャリア割り当て情報及びアクセスポイントの電力クラスに少なくとも部分的に基づいて判定された該アクセスポイントからの検出可能なアンカー・キャリアの上で信号を受信するキャリア通信コンポーネントとを含む装置。 
［２３］前記キャリア通信コンポーネントは、異なるキャリアの上で前記アクセスポイントに異なる信号を送信し、 
前記検出可能なアンカー・キャリアの上で受信される信号は、制御データ信号である［２２］の装置。 
［２４］前記キャリア通信コンポーネントは、低減された電力で前記信号を受信し、 
前記検出可能なアンカー・キャリアは、前記キャリア割り当て情報に従って異なる電力クラスのアクセスポイントに関連付けられる［２２］の装置。 
［２５］前記アクセスポイントは、マクロセル・アクセスポイントである［２４］の装置。 
［２６］異なる電力クラスのアクセスポイントのためのキャリアを指定するキャリア割り当て情報を受信することと、 
前記キャリア割り当て情報及び電力クラスに少なくとも部分的に基づいて、無線ネットワーク中で信号を送信するためのキャリアを選択することと、 
前記キャリアの上で１又は複数のモバイル・デバイスに信号を送信することを含む方法。 
［２７］前記キャリア割り当て情報を受信することは、マクロセル・アクセスポイントから前記キャリア割り当て情報を受信することを含む［２６］の方法。 
［２８］前記１又は複数のモバイル・デバイスの近接性を判定することを更に含み、 
前記キャリアは、異なる電力のクラスに関係し、前記１又は複数のモバイル・デバイスの前記近接性に少なくとも部分的に基づいて選択される［２６］の方法。 
［２９］１又は複数の異なるキャリアの上で前記１又は複数のモバイル・デバイスから信号を受信することを更に含み、 
前記キャリアは、アンカー・キャリアであり、前記信号は、前記アンカー・キャリアの上で送信される制御信号である［２６］の方法。 
［３０］前記キャリア割り当て情報は、マクロセル・アクセスポイント電力クラスのための制限の無い電力を持つオープンアクセス共有キャリア、フェムトセル又はピコセル・アクセスポイント電力クラスのための低い電力を持つオープンアクセス共有キャリア、及び、クローズドサブスクライバーグループ・アクセスポイント電力クラスのための低い電力を持つクローズドアクセスキャリアを指定する［２６］の方法。 
［３１］前記１又は複数のモバイル・デバイスから干渉情報を受信することを更に含み、 
前記キャリアは、前記干渉情報に少なくとも部分的に基づいて、複数のキャリアから選択される［２６］の方法。 
［３２］前記キャリア割り当て情報に少なくとも部分的に基づいて、前記信号を送信するための電力を判定することを更に含む［２６］の方法。 
［３３］前記キャリア割り当て情報を、提供されたセル中の１又は複数のアクセスポイントに送信することを更に含む［２６］の方法。 
［３４］ネットワーク仕様又は受信された構成に基づいて、前記キャリア割り当て情報を生成することを更に含む［３３］の方法。 
［３５］複数のキャリアと複数のアクセスポイント電力クラスとの間の関連付けを指示するキャリア割り当て情報を受信し、 
前記キャリア割り当て情報に少なくとも部分的に基づいて、無線ネットワークにおいて通信するためのキャリアを選択し、 
前記キャリアの上で１又は複数のモバイル・デバイスに信号を送信するように構成された少なくとも一つのプロセッサと、 
前記少なくとも一つのプロセッサに接続されたメモリとを含む無線通信装置。 
［３６］前記少なくとも一つのプロセッサは、マクロセル・アクセスポイントから前記キャリア割り当て情報を受信する［３５］の無線通信装置。 
［３７］前記キャリアは、前記キャリア割り当て情報に従って異なる電力クラスに関連付けられ、 
前記少なくとも一つのプロセッサは、前記キャリアの上で信号を送信するために電力を前記異なる電力クラスのそれに低減するように更に構成される［３５］の無線通信装置。
［３８］前記無線通信装置は、マクロセル・アクセスポイントの少なくとも一部分である［３５］の無線通信装置。 
［３９］複数のキャリアを複数のアクセスポイント電力クラスと関連付けるキャリア割り当て情報を受信するための手段と、 
前記キャリア割り当て情報及び電力クラスに少なくとも部分的に基づいて送信するためのキャリアを選択するための手段と、 
前記キャリアの上で１又は複数のモバイル・デバイスに信号を送信するための手段とを含む装置。 
［４０］前記キャリア割り当て情報を受信するための手段は、マクロセル・アクセスポイントから前記キャリア割り当て情報を受信する［３９］の装置。 
［４１］前記キャリアを選択するための手段は、前記１又は複数のモバイル・デバイスの近接性を取得し、前記１又は複数のモバイル・デバイスの前記近接性に少なくとも部分的に基づいて異なる電力のクラスに関係する前記キャリアを選択する［３９］の装置。 
［４２］前記信号を送信するための前記手段は、１又は複数の異なるキャリアの上で前記１又は複数のモバイル・デバイスから信号を受信することを更に含み、 
前記キャリアは、アンカー・キャリアであり、前記信号は、前記アンカー・キャリアの上で送信される制御データ信号である［３９］の装置。 
［４３］少なくとも一つのコンピュータに、異なる電力クラスのアクセスポイントのためのキャリアを指定するキャリア割り当て情報を受信させるためのコードと、 
前記少なくとも一つのコンピュータに、前記キャリア割り当て情報及び電力クラスに少なくとも部分的に基づいて、無線ネットワーク中で信号を送信するためのキャリアを選択させるためのコードと、 
前記キャリアの上で１又は複数のモバイル・デバイスに信号を送信させるためのコードとを含むコンピュータ読み取り可能な媒体を含むコンピュータ・プログラム製品。 
［４４］前記少なくとも一つのコンピュータに前記キャリア割り当て情報を受信させるための前記コードは、マクロセル・アクセスポイントから前記キャリア割り当て情報を受信する［４３］のコンピュータ・プログラム製品。 
［４５］前記コンピュータ読み取り可能な媒体は、前記少なくとも一つのコンピュータに、前記１又は複数のモバイル・デバイスの近接性を判定させるためのコードを更に含み、 
前記キャリアは、異なる電力のクラスに関係し、前記１又は複数のモバイル・デバイスの前記近接性に少なくとも部分的に基づいて選択される［４３］のコンピュータ・プログラム製品。 
［４６］前記コンピュータ読み取り可能な媒体は、前記少なくとも一つのコンピュータに、１又は複数の異なるキャリアの上で前記１又は複数のモバイル・デバイスから信号を受信させるためのコードを更に含み、 
前記キャリアは、アンカー・キャリアであり、前記信号は、前記アンカー・キャリアの上で送信される制御信号である［４３］のコンピュータ・プログラム製品。 
［４７］複数のキャリアを複数のアクセスポイント電力クラスと関連付けるキャリア割り当て情報を受信するキャリア構成コンポーネントと、 
前記キャリア割り当て情報及び電力クラスに少なくとも部分的に基づいて送信するためのキャリアを選択するキャリア選択コンポーネントと、 
前記キャリアの上で１又は複数のモバイル・デバイスに信号を送信するキャリア通信コンポーネントとを含む装置。 
［４８］前記キャリア構成コンポーネントは、マクロセル・アクセスポイントから前記キャリア割り当て情報を受信する［４７］の装置。 
［４９］前記キャリア選択コンポーネントは、前記１又は複数のモバイル・デバイスの近接性を取得し、前記１又は複数のモバイル・デバイスの前記近接性に少なくとも部分的に基づいて異なる電力のクラスに関係するキャリアを選択する［４７］の装置。 
［５０］前記キャリア通信コンポーネントは、１又は複数の異なるキャリアの上で前記１又は複数のモバイル・デバイスから信号を受信し、 
前記キャリアは、アンカー・キャリアであり、前記信号は、前記アンカー・キャリアの上で送信される制御データ信号である［４７］の装置。
【外国語明細書】
2014143703000001.pdf